(57)【要約】【課題】本発明は、光ディスク装置、光ディスク装置の制御方法、光ディスク装置の制御方法のプログラム及び光ディスク装置の制御方法のプログラムを記録した記録媒体に関し、例えばＤＶＤ（Ｄｉｇｉｔａｌ　Ｖｅｒｓａｔｉｌｅ　Ｄｉｓｋ）装置に適用して、種々の再生装置で十分に対応可能に、動画以外の静止画等のファイルについても記録することができるようにする。【解決手段】本発明は、拡張ファイルをデコードするドライバソフトを拡張ファイルと共に記録する。【選択図】　　　　図１
2004039185.tif 000002
【特許請求の範囲】
【請求項１】
特定のフォーマットによる動画ファイルと、前記動画ファイルを管理する管理情報とを組にして光ディスクに記録する光ディスク装置において、
前記特定のフォーマットによる動画ファイル以外の拡張ファイルと、前記拡張ファイルを管理する拡張管理情報とを組にして前記光ディスクに記録し、
少なくとも前記光ディスクに記録した前記拡張ファイルが、それまでに前記光ディスクに記録されている前記拡張ファイルとは異なる種類によるファイルの場合、該拡張ファイルをデコードするドライバソフトを該拡張ファイルと関連付けて、前記光ディスクに記録する
ことを特徴とする光ディスク装置。
【請求項２】
前記ドライバソフトを記録する際に、該ドライバソフトに対応する前記拡張ファイルを前記特定のフォーマットによる動画ファイルの再生環境で再生可能なファイルに変換する変換プログラムを併せて前記光ディスクに記録する
ことを特徴とする請求項１に記載の光ディスク装置。
【請求項３】
前記光ディスクの特定の領域に記録した仮の管理情報により、前記動画ファイルの管理情報、前記拡張ファイルの拡張管理情報の記録位置を管理し、
前記拡張ファイルの拡張管理情報において、前記光ディスクに記録された前記拡張ファイルの種類毎に属性管理情報を設定して前記拡張ファイルを管理し、
前記属性管理情報により、対応する前記ドライバソフトの記録位置を指し示すようにする
ことを特徴とする請求項１に記載の光ディスク装置。
【請求項４】
前記光ディスクに記録された前記ドライバソフトを再生して組み込み、該組み込んだドライバソフトにより前記拡張ファイルをデコードして出力するデータ処理手段を有する
ことを特徴とする請求項１に記載の光ディスク装置。
【請求項５】
ユーザーによる指示により、
前記光ディスクの管理情報記録領域のうちの、第１の管理情報記録領域に、前記光ディスクに記録された全てのファイルについて、前記管理情報及び前記拡張管理情報をまとめて記録し、
前記管理情報記録領域のうちの、第２の管理情報記録領域に、前記光ディスクに記録された前記特定フォーマットの動画ファイルについてのみ、前記管理情報をまとめて記録する
ことを特徴とする請求項１に記載の光ディスク装置。
【請求項６】
前記第１の管理情報記録領域が、コンピュータによるファイル管理システムに対応する領域であり、
前記第２の管理情報記録領域が、ＤＶＤビデオフォーマットのファイル管理システムに対応する領域である
ことを特徴とする請求項５に記載の光ディスク装置。
【請求項７】
前記ドライバソフトによるデコードの処理は、
前記特定フォーマットによる動画ファイルをユーザーに提供する構成において、前記拡張ファイルの内容を確認できるようにする前記拡張ファイルの処理である
ことを特徴とする請求項１に記載の光ディスク装置。
【請求項８】
特定のフォーマットによる動画ファイルと、前記動画ファイルを管理する管理情報とを組にして光ディスクに記録する光ディスク装置の制御方法において、
前記特定のフォーマットによる動画ファイル以外の拡張ファイルと、前記拡張ファイルを管理する拡張管理情報とを組にして前記光ディスクに記録する拡張ファイルの記録ステップを有し、
前記拡張ファイルの記録ステップにおいて、
少なくとも前記光ディスクに記録した前記拡張ファイルが、それまでに前記光ディスクに記録されている前記拡張ファイルとは異なる種類によるファイルの場合、該拡張ファイルをデコードするドライバソフトを該拡張ファイルと関連付けて、前記光ディスクに記録する
ことを特徴とする光ディスク装置の制御方法。
【請求項９】
前記拡張ファイルの記録ステップにおいて、
前記ドライバソフトを記録する際に、該ドライバソフトに対応する前記拡張ファイルを前記特定のフォーマットによる動画ファイルの再生環境で再生可能なファイルに変換する変換プログラムを併せて前記光ディスクに記録する
ことを特徴とする請求項８に記載の光ディスク装置の制御方法。
【請求項１０】
前記光ディスクに記録された前記ドライバソフトを再生して組み込み、該組み込んだドライバソフトにより前記拡張ファイルをデコードして出力するデータ処理ステップを有する
ことを特徴とする請求項８に記載の光ディスク装置の制御方法。
【請求項１１】
ユーザーによる指示により、
前記光ディスクの管理情報記録領域のうちの、第１の管理情報記録領域に、前記光ディスクに記録された全てのファイルについて、前記管理情報及び前記拡張管理情報をまとめて記録し、
前記管理情報記録領域のうちの、第２の管理情報記録領域に、前記光ディスクに記録された前記特定フォーマットの動画ファイルについてのみ、前記管理情報をまとめて記録するファイナライズのステップを有する
ことを特徴とする請求項８に記載の光ディスク装置の制御方法。
【請求項１２】
前記第１の管理情報記録領域が、コンピュータによるファイル管理システムに対応する領域であり、
前記第２の管理情報記録領域が、ＤＶＤビデオフォーマットのファイル管理システムに対応する領域である
ことを特徴とする請求項１１に記載の光ディスク装置の制御方法。
【請求項１３】
特定のフォーマットによる動画ファイルと、前記動画ファイルを管理する管理情報とを組にして光ディスクに記録する光ディスク装置の制御方法のプログラムにおいて、
前記特定のフォーマットによる動画ファイル以外の拡張ファイルと、前記拡張ファイルを管理する拡張管理情報とを組にして前記光ディスクに記録する拡張ファイルの記録ステップを有し、
前記拡張ファイルの記録ステップにおいて、
少なくとも前記光ディスクに記録した前記拡張ファイルが、それまでに前記光ディスクに記録されている前記拡張ファイルとは異なる種類によるファイルの場合、該拡張ファイルをデコードするドライバソフトを該拡張ファイルと関連付けて、前記光ディスクに記録する
ことを特徴とする光ディスク装置の制御方法のプログラム。
【請求項１４】
特定のフォーマットによる動画ファイルと、前記動画ファイルを管理する管理情報とを組にして光ディスクに記録する光ディスク装置の制御方法のプログラムを記録した記録媒体において、
前記制御方法のプログラムは、
前記特定のフォーマットによる動画ファイル以外の拡張ファイルと、前記拡張ファイルを管理する拡張管理情報とを組にして前記光ディスクに記録する拡張ファイルの記録ステップを有し、
前記拡張ファイルの記録ステップにおいて、
少なくとも前記光ディスクに記録した前記拡張ファイルが、それまでに前記光ディスクに記録されている前記拡張ファイルとは異なる種類によるファイルの場合、該拡張ファイルをデコードするドライバソフトを該拡張ファイルと関連付けて、前記光ディスクに記録する
ことを特徴とする光ディスク装置の制御方法のプログラムを記録した記録媒体。
【発明の詳細な説明】
【０００１】
【発明の属する技術分野】
本発明は、光ディスク装置、光ディスク装置の制御方法、光ディスク装置の制御方法のプログラム及び光ディスク装置の制御方法のプログラムを記録した記録媒体に関し、例えばＤＶＤ（Ｄｉｇｉｔａｌ　Ｖｅｒｓａｔｉｌｅ　Ｄｉｓｋ）装置に適用することができる。本発明は、拡張ファイルをデコードするドライバソフトを拡張ファイルと共に記録することにより、種々の再生装置で十分に対応可能に、動画以外の静止画等のファイルについても記録することができるようにする。
【０００２】
【従来の技術】
従来、大容量の光ディスクであるＤＶＤにおいて、書き込み可能な光ディスクは、１回のみ書き込み可能なＤＶＤ−Ｒ（ＤＶＤ−Ｒｅｃｏｒｄａｂｌｅ）、追記可能なＤＶＤ−ＲＷ（ＤＶＤ−Ｒｅｗｒｉｔａｎｌｅ）、ＤＶＤ−ＲＡＭ（ＤＶＤ−Ｒａｎｄｏｍ　Ａｃｃｅｓｓ　Ｍｅｍｏｒｙ）が提供されるようになされている。これらの光ディスクのうち、ＤＶＤ−Ｒ、ＤＶＤ−ＲＷは、ＤＶＤ−ビデオフォーマットに準拠したフォーマットでビデオデータを記録することにより、再生専用の光ディスク、コンピュータでも再生できるようになされている。
【０００３】
図１１は、このＤＶＤビデオフォーマットによる光ディスクの論理フォーマットを示す図表である。このフォーマットによる光ディスクは、情報記録面が、先頭側である最内側よりリードイン（Ｌｅａｄ　ｉｎ　）、データゾーン（Ｄａｔａ　Ｚｏｎｅ　）、リードアウト（Ｌｅａｄ　ｏｕｔ）に区切られ（図１１（Ａ））、データゾーンに所望のビデオデータ等が記録される。
【０００４】
ここでデータゾーンは、リードイン側より、ＵＤＦ（Ｕｎｉｖｅｒｓａｌ　Ｄｉｓｋ　Ｆｏｒｍａｔ　）領域（ファイルシステムエリア）Ａ１、ＶＭＧ（Ｖｉｄｅｏ　Ｍａｎａｇｅｒ　）領域（ＤＶＤ管理情報エリア）Ａ２、リアルタイムデータ記録エリアＡ３に区分される。ＵＤＦ領域及びＶＭＧ領域は、この光ディスクに記録されたビデオデータによるファイルを管理する管理情報記録領域である。これらのＵＤＦ領域及びＶＭＧ領域のうち、第２の管理情報記録領域であるＶＭＧ領域は、ＤＶＤビデオフォーマットに固有のファイル管理システムに対応する領域であり、リアルタイムデータ記録エリアＡ３に記録されたビデオデータ全体を管理する管理情報であるＴＯＣの情報が記録される。これに対して第１の管理情報記録領域であるＵＤＦ領域Ａ１は、コンピュータによるファイル管理システムに対応する領域であり、コンピュータにおけるファイルシステムとの互換を図るフォーマットによりリアルタイムデータ記録エリアＡ３に記録されたビデオデータ全体を管理する管理情報が記録される。
【０００５】
リアルタイムデータ記録エリアＡ３は、実データを記録するプログラムエリアであり、ＶＴＳ（Ｖｉｄｅｏ　Ｔｉｔｌｅ　Ｓｅｔ　）（以下、適宜、タイトルと呼ぶ）を単位にして、ビデオデータが記録される（図１１（Ｂ））。なおここでＶＴＳは、最大で９９個まで設けることができるようになされている。ここでＶＴＳは、先頭側より、ＶＴＳＩ（Ｖｉｄｅｏ　Ｔｉｔｌｅ　Ｓｅｔ　Ｉｎｆｏｒｍａｔｉｏｎ　）、ＶＴＳＭ　ＶＯＢＳ（Ｖｉｄｅｏ　Ｏｂｊｅｃｔ　Ｓｅｔ　ｆｏｒ　ｔｈｅ　ＶＴＳＭ　）、ＶＴＳＴＴ　ＶＯＢＳ（Ｖｉｄｅｏ　Ｏｂｊｅｃｔ　ＳｅｔＦｏｒ　Ｔｉｔｌｅｓ　ｉｎ　ａ　ＶＴＳ）、ＶＴＳＩ　ＢＵＰ（Ｂａｃｋｕｐ　ｏｆ　ＶＴＳＩ）により構成される（図１１（Ｃ））。ＶＴＳＴＴ　ＶＯＢＳには、実データであるＭＰＥＧ（Ｍｏｖｉｎｇ　Ｐｉｃｔｕｒｅ　Ｅｘｐｅｒｔｓ　Ｇｒｏｕｐ）２のフォーマットによるビデオデータが記録され、ＶＴＳＩには、この実データによるビデオデータを管理する管理情報である記録位置情報等が、ＶＴＳＭ　ＶＯＢＳには、ビデオデータのタイトルメニューが記録される。なおＶＴＳＭ　ＶＯＢＳは、オプションである。ＶＴＳＩ　ＢＵＰは、ＶＴＳＩのバックアップである。
【０００６】
これらによりこの種の光ディスクにおいては、コンピュータによりアクセスする場合、ＵＤＦにより所望するファイルを検索して再生することができるようになされ、ＤＶＤプレイヤーにより再生する場合には、ＶＭＧにより所望するファイルを検索して再生することができるようになされている。
【０００７】
このような光ディスクにビデオデータを書き込む方式としては、Ｉｎｃｒｅｍｅｎｔａｌ　Ｒｅｃｏｒｄｉｎｇ　方式（以下、ＩＮＣ方式と呼ぶ）、Ｒｅｓｔｒｉｃｔｅｄ　Ｏｖｅｒ　Ｗｒｉｔｅ　方式（以下、ＲＯＷ方式と呼ぶ）が使用されるようになされている。ここでＩＮＣ方式は、シーケンシャルにビデオデータを記録する方式であり、ＲＯＷ方式は、上書き可能な光ディスクに適用される方式である。但し、ＲＯＷ方式においても、未記録領域にデータを記録する場合には、シーケンシャルにビデオデータを記録する。これらＩＮＣ方式及びＲＯＷ方式においては、リードインの内周側に設けられたＲＭＡ（Ｒｅｃｏｒｄｉｎｇ　Ｍａｎａｇｅｍｅｎｔ　Ａｒｅａ　）により、後述する予約等の光ディスクへの処理が管理されるようになされている。
【０００８】
図１２は、ＩＮＣ方式による記録手順を示す図表である。ＩＮＣ方式においては、一度に書き込むエリアは最大３つまでと定義されており、このエリアをそれぞれＲｚｏｎｅと呼び、各ＲｚｏｎｅをＲＭＡで管理する。
【０００９】
動画を記録する場合、ＩＮＣ方式においては、始めにＲｚｏｎｅを予約する（図１２（Ａ））。ここでＲｚｏｎｅの予約は、管理情報の記録領域であるＵＤＦ領域、ＶＭＧ領域を形成するＲｚｏｎｅ１の領域を定義し、続いてリアルタイムデータ記録エリアを形成する未記録領域に、先頭のＶＴＳのＶＴＳＩ、ＶＴＳＭＶＯＢＳを形成するＲｚｏｎｅ２の領域を定義し、残る未記録領域をＩｎｖｉｓｉｂｌｅ　Ｒｚｏｎｅの領域と定義して実行される。ＩＮＣ方式は、このＲｚｏｎｅ１、Ｒｚｏｎｅ２の予約により、管理情報の記録領域を確保し、また先頭のＶＴＳのＶＴＳＩ、ＶＴＳＭ　ＶＯＢＳを形成する領域を確保するようになされている。
【００１０】
ＩＮＣ方式においては、Ｉｎｖｉｓｉｂｌｅ　Ｒｚｏｎｅの先頭側より順次ビデオデータを記録することにより、実データによるＶＴＳＴＴ　ＶＯＢＳを形成する。さらにユーザーの指示により、１つのタイトルについて実データの記録が完了すると、この実データの記録に続いてＶＴＳＩ　ＢＵＰを記録し（図１２（Ｂ））、また先頭側に戻ってＲｚｏｎｅ２にＶＴＳＩ、ＶＴＳＭ　ＶＯＢＳを形成し（図１２（Ｃ））、Ｒｚｏｎｅ２を閉じる。これによりＩＮＣ方式においては、１つのＶＴＳを光ディスクに記録する。
【００１１】
また続けて次のタイトルを記録する場合、ＩＮＣ方式においては、残りの未記録領域にＲｚｏｎｅ３を予約してＶＴＳＩ、ＶＴＳＭ　ＶＯＢＳの領域を確保し、Ｉｎｖｉｓｉｂｌｅ　Ｒｚｏｎｅを定義する（図１２（Ｄ））。さらに続いて、実データの記録によりＶＴＳＴＴ　ＶＯＢＳを形成した後、ＶＴＳＩ　ＢＵＰを形成し（図１２（Ｅ））、先に確保した領域にＶＴＳＩ、ＶＴＳＭ　ＶＯＢＳを形成する（図１２（Ｆ））。これにより光ディスクでは、続くＶＴＳが記録される（図１２（Ｇ））。ＩＮＣ方式においては、引き続きタイトルを記録する場合、同様に未記録領域を定義して順次ＶＴＳを記録する。
【００１２】
これに対してこのようにＶＴＳを順次記録して、リアルタイムデータ記録エリアが形成されてなる光ディスクについて、ＩＮＣ方式においては、ファイナライズの処理によりＵＤＦ領域、ＶＭＧ領域を形成し、さらにリードイン、リードアウトを形成し（図１２（Ｈ））、これにより再生専用の光ディスクとの互換性が図られる。なおこのＵＤＦ領域、ＶＭＧ領域の形成においては、各タイトルのＶＴＳＩ、ＶＴＳＭ　ＶＯＢＳのデータより、ＵＤＦ、ＶＭＧのデータを生成し、このデータをＲｚｏｎｅ１に記録してＲｚｏｎｅ１を閉じることにより実行される。
【００１３】
これに対して図１３は、ＲＯＷ方式による記録手順を示す図表である。ＲＯＷ方式においては、リードイン、ＵＤＦ、ＶＭＧ、先頭タイトルのＶＴＳＩ、ＶＴＳＭ　ＶＯＢＳの記録領域をパディングにより事前に確保する（図１３（Ａ））。ここでパディングは、ＮＵＬＬ等のダミーデータを記録して領域を確保する処理である。
【００１４】
このようにしてこれらの領域を確保すると、ＲＯＷ方式においては、順次ビデオデータを記録することにより、実データによるＶＴＳＴＴ　ＶＯＢＳを形成し（図１３（Ｂ））、１つのタイトルについて実データの記録が完了すると、続いてＶＴＳＩ　ＢＵＰを記録し、さらに続くタイトルのＶＴＳＩ、ＶＴＳＭ　ＶＯＢＳの記録領域の確保のために、パディングの処理を実行する（図１３（Ｂ））。また続いて先頭側に戻ってこの実データの記録に対応するＶＴＳＩ、ＶＴＳＭＶＯＢＳを形成する（図１３（Ｃ））。これによりＲＯＷ方式においては、１つのＶＴＳを光ディスクに記録する。
【００１５】
また続けて次のタイトルを記録する場合、ＲＯＷ方式においては、直前のＶＴＳにより形成したパディングの領域に続いて、実データの記録によりＶＴＳＴＴ
ＶＯＢＳ、ＶＴＳＩ　ＢＵＰを形成し、続くタイトルのＶＴＳＩ、ＶＴＳＭ
ＶＯＢＳの記録領域の確保のために、パディングの処理を実行する（図１３（Ｄ））。また続いてＶＴＳＩ、ＶＴＳＭ　ＶＯＢＳを形成し（図１３（Ｅ））、これにより続くＶＴＳを光ディスクに記録する（図１３（Ｆ））。ＲＯＷ方式においては、引き続きタイトルを記録する場合、同様にパディング等の処理を実行して順次ＶＴＳを記録する。
【００１６】
これに対してこのようにＶＴＳを順次記録して、リアルタイムデータ記録エリアが形成されてなる光ディスクについて、ＲＯＷ方式においては、ＩＮＣ方式と同様のファイナライズの処理によりＵＤＦ領域、ＶＭＧ領域を形成し、さらにリードイン、リードアウトを形成し（図１３（Ｇ））、これにより再生専用の光ディスクとの互換性が図られるようになされている。
【００１７】
【発明が解決しようとする課題】
ところでこのような光ディスクにおいては、磁気テープに代えて、携帯型のビデオレコーダに適用することが考えられる。この場合、従来の携帯型のビデオレコーダにおいては、動画だけでなく、静止画についても記録することができるものがあることにより、この種の光ディスクにおいても、動画以外の静止画等について、記録できることが望まれる。
【００１８】
この要望を実現する方法として、動画についてはＤＶＤビデオフォーマットにより記録してＵＤＦ、ＶＭＧに管理情報を記録し、動画以外のファイルについては、ＵＤＦのみに管理情報を記録して、静止画ファイル及び動画ファイルを光ディスクに記録することが考えられる。すなわちこのようにすれば、コンピュータ等によるファイル管理システムにおいては、ＵＤＦを基準にしていることにより、プログラムエリアであるリアルタイムデータ記録エリアに記録した全てのファイルを再生することができると考えられる。またＤＶＤプレイヤーにおいては、ＶＭＧを基準にしてリアルタイムデータ記録エリアをアクセスすることにより、ＤＶＤプレイヤーによる再生には何ら影響を与えないようにして、この種の動画以外のファイルを記録することができると考えられる。
【００１９】
またこのようにＵＤＦを構築するために必要な各ファイルの管理情報については、静止画ファイルと共に、ファイナライズまでの間、一時的に光ディスクに記録しておくことが考えられる。
【００２０】
しかしながらこの種の光ディスクにおいては、大容量の記憶容量を有していることにより、このように磁気テープに代えてビデオレコーダで使用する場合のみならず、種々の装置、システムで使用して、動画ファイル以外のファイルを記録することが考えられる。光ディスクにおいては、着脱して種々の機器で利用されることにより、この場合、特定の機器では対応困難なファイルまで記録されることを避け得ない。
【００２１】
すなわち具体的には、このようにして記録されるＤＶＤビデオフォーマットによっては規定されていないファイルにおいては、例えばＭＰＥＧ４によるファイル、ＭＰＥＧ７によるファイル、静止画ファイル、オーディオファイル等があり、従来のＤＶＤプレイヤーにおいては、これらＭＰＥＧ４によるファイル等については、再生できない欠点がある。因みに、このような場合には、ＤＶＤプレイヤーを回収して、又はユーザー自身の作業により、このようなＭＰＥＧ７によるファイル等をデコード可能に、ＤＶＤプレイヤーのプログラムを更新することが必要になる。
【００２２】
本発明は以上の点を考慮してなされたもので、種々の再生装置で十分に対応可能に、動画以外の静止画等のファイルについても記録することができる光ディスク装置、光ディスク装置の制御方法、光ディスク装置の制御方法のプログラム及び光ディスク装置の制御方法のプログラムを記録した記録媒体を提案しようとするものである。
【００２３】
【課題を解決するための手段】
かかる課題を解決するため請求項１の発明においては、特定のフォーマットによる動画ファイルと、動画ファイルを管理する管理情報とを組にして光ディスクに記録する光ディスク装置に適用して、特定のフォーマットによる動画ファイル以外の拡張ファイルと、拡張ファイルを管理する拡張管理情報とを組にして光ディスクに記録し、少なくとも光ディスクに記録した拡張ファイルが、それまでに光ディスクに記録されている拡張ファイルとは異なる種類によるファイルの場合、該拡張ファイルをデコードするドライバソフトを該拡張ファイルと関連付けて、光ディスクに記録する。
【００２４】
また請求項８の発明においては、特定のフォーマットによる動画ファイルと、動画ファイルを管理する管理情報とを組にして光ディスクに記録する光ディスク装置の制御方法に適用して、特定のフォーマットによる動画ファイル以外の拡張ファイルと、拡張ファイルを管理する拡張管理情報とを組にして光ディスクに記録する拡張ファイルの記録ステップを有し、拡張ファイルの記録ステップにおいて、少なくとも光ディスクに記録した拡張ファイルが、それまでに光ディスクに記録されている拡張ファイルとは異なる種類によるファイルの場合、該拡張ファイルをデコードするドライバソフトを該拡張ファイルと関連付けて、光ディスクに記録する。
【００２５】
また請求項１３の発明において、特定のフォーマットによる動画ファイルと、動画ファイルを管理する管理情報とを組にして光ディスクに記録する光ディスク装置の制御方法のプログラムに適用して、特定のフォーマットによる動画ファイル以外の拡張ファイルと、拡張ファイルを管理する拡張管理情報とを組にして光ディスクに記録する拡張ファイルの記録ステップを有し、拡張ファイルの記録ステップにおいて、少なくとも光ディスクに記録した拡張ファイルが、それまでに光ディスクに記録されている拡張ファイルとは異なる種類によるファイルの場合、該拡張ファイルをデコードするドライバソフトを該拡張ファイルと関連付けて、光ディスクに記録する。
【００２６】
また請求項１４の発明において、特定のフォーマットによる動画ファイルと、動画ファイルを管理する管理情報とを組にして光ディスクに記録する光ディスク装置の制御方法のプログラムを記録した記録媒体において、制御方法のプログラムは、特定のフォーマットによる動画ファイル以外の拡張ファイルと、拡張ファイルを管理する拡張管理情報とを組にして光ディスクに記録する拡張ファイルの記録ステップを有し、拡張ファイルの記録ステップにおいて、少なくとも光ディスクに記録した拡張ファイルが、それまでに光ディスクに記録されている拡張ファイルとは異なる種類によるファイルの場合、該拡張ファイルをデコードするドライバソフトを該拡張ファイルと関連付けて、光ディスクに記録する。
【００２７】
請求項１の構成によれば、特定のフォーマットによる動画ファイルと、動画ファイルを管理する管理情報とを組にして光ディスクに記録する光ディスク装置に適用して、特定のフォーマットによる動画ファイル以外の拡張ファイルと、拡張ファイルを管理する拡張管理情報とを組にして光ディスクに記録し、少なくとも光ディスクに記録した拡張ファイルが、それまでに光ディスクに記録されている拡張ファイルとは異なる種類によるファイルの場合、該拡張ファイルをデコードするドライバソフトを該拡張ファイルと関連付けて、光ディスクに記録することにより、再生側で何ら予定していない種類の拡張ファイルを記録した場合でも、再生側においては、光ディスクに記録されたドライバソフトを再生して組み込むことにより、このような拡張ファイルをデコードしてユーザーに提供することができる。これにより種々の再生装置で十分に対応可能に、動画以外の静止画等のファイルについても記録することができる。
【００２８】
これにより請求項８、請求項１３、請求項１４の構成によれば、種々の再生装置で十分に対応可能に、動画以外の静止画等のファイルについても記録することができる光ディスク装置の制御方法、光ディスク装置の制御方法のプログラム、光ディスク装置の制御方法のプログラムを記録した記録媒体を提供することができる。
【００２９】
【発明の実施の形態】
以下、適宜図面を参照しながら本発明の実施の形態を詳述する。
【００３０】
（１）第１の実施の形態
（１−１）第１の実施の形態の構成
図２は、本発明の第１の実施の形態に係る光ディスク装置を示すブロック図である。この光ディスク装置１は、携帯型のビデオレコーダであり、ＤＶＤである光ディスク２に撮像結果を記録できるようになされている。
【００３１】
すなわちこの光ディスク装置１において、映像入力部３は、図示しない撮像手段より得られる撮像結果である映像信号、外部機器から入力される映像信号をアナログディジタル変換処理し、ビデオデータを出力する。なおここでこの内蔵の撮像手段は、マイコン４による制御により、動画による撮像結果、静止画による撮像結果を出力するようになされ、これによりこの映像入力部３においては、マイコン４による撮像手段の制御に応動して、動画、静止画によるビデオデータを選択的に出力するようになされている。
【００３２】
オーディオ入力部５は、マイクで取得される音声信号、外部入力による音声信号をアナログディジタル変換処理し、オーディオデータを出力する。
【００３３】
圧縮／伸長処理部６は、マイコン４の制御により、動作を切り換え、記録再生に供するデータを処理する。すなわち圧縮／伸長処理部６は、映像入力部３、オーディオ入力部５から入力されるビデオデータ、オーディオデータの記録時、ランダムアクセスメモリ（ＲＡＭ）９を用いて、これらビデオデータ及びオーディオデータをデータ圧縮して多重化処理し、ヘッダー情報処理部７に出力する。またこれとは逆に、再生時、同様にランダムアクセスメモリ９を用いて、ヘッダー情報処理部７より得られるデータをビデオデータ及びオーディオデータに分離した後、それぞれデータ伸長して出力する。
【００３４】
すなわち圧縮／伸長処理部６において、ビデオ処理部８は、マイコン４の制御により、記録時、映像入力部３から出力されるビデオデータをデータ圧縮して出力する。このときこのビデオデータが動画によるビデオデータの場合、ＭＰＥＧ２のフォーマットによりデータ圧縮するのに対し、このビデオデータが静止画によるビデオデータの場合、ＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ　）のフォーマットによりデータ圧縮する。またビデオ処理部８は、再生時、多重化処理部１０から出力されるビデオデータを、このビデオデータのデータ圧縮フォーマットに対応してデータ伸長して出力する。
【００３５】
オーディオ処理部１１は、記録時、オーディオ入力部５から出力されるオーディオデータをＭＰＥＧ、ドルビーオーディオ、またはリニアＰＣＭ等のフォーマットによりデータ圧縮して出力する。またこれとは逆に、再生時、多重化処理部１０から得られるオーディオデータをデータ伸長して出力する。
【００３６】
多重化処理部１０は、記録時、ビデオ処理部８から出力されるビデオデータ、オーディオ処理部１１から出力されるオーディオデータを時分割多重化してヘッダー情報処理部７に出力する。またこれとは逆に、再生時、ヘッダー情報処理部７から出力される時分割多重化データよりビデオデータ及びオーディオデータを分離し、それぞれビデオ処理部８、オーディオ処理部１１に出力する。
【００３７】
モニタ部１２は、映像入力部３から入力されるビデオデータ、オーディオ入力部５から入力されるオーディオデータ、又は圧縮／伸長処理部６から出力されるビデオデータ、オーディオデータをモニタする表示機構、音声処理機構により構成され、これによりこの光ディスク装置１では、撮像結果をモニタし、再生結果をモニタできるようになされている。
【００３８】
ビデオ／オーディオエンコーダ１３は、オーディオ入力部５から入力されるビデオデータ及びオーディオデータ、又は圧縮／伸長処理部６から出力されるビデオデータ及びオーディオデータを所定フォーマットによりデータ圧縮して外部機器に出力する。これによりこの光ディスク装置１では、撮像結果、再生結果を外部機器でモニタできるようになされている。
【００３９】
ヘッダー情報処理部７は、記録時、圧縮／伸長処理部６から出力される時分割多重化データを受け、マイコン４の制御により、ＤＶＤに固有のヘッダー情報、後述する拡張ファイルのヘッダー情報等を付加して出力する。またマイコン４から情報により、ＵＤＦ、ＶＭＧ、ＶＴＳＩ等のデータを生成してＤＶＤ信号処理部１４に出力する。また再生時等において、ＤＶＤ信号処理部１４の出力データから、記録時に付加したヘッダー情報を分離して圧縮／伸長処理部６に出力する。またこの分離したヘッダー情報をマイコン４に通知する。なおここで拡張ファイルとは、この光ディスク２について規格化されたフォーマットであるＤＶＤビデオフォーマットで定義されていないファイルであり、この実施の形態ではこの拡張ファイルに静止画のファイルが適用されるようになされている。
【００４０】
ＤＶＤ信号処理部１４は、記録時、ランダムアクセスメモリ１５を用いて、ヘッダー情報処理部７の出力データよりエラー訂正符号を生成し、このエラー訂正符号をこの出力データに付加する。またスクランブル処理、８／１６変調等の処理を実行し、その処理結果によるデータ列をシリアルデータ列によりアナログフロントエンド部１６に出力する。
【００４１】
これに対して再生時、ＤＶＤ信号処理部１４は、記録時とは逆に、アナログフロントエンド部１６の出力データを復号処理、デスクランブル処理、エラー訂正処理し、処理結果をヘッダー情報処理部７に出力する。またＤＶＤ信号処理部１４は、マイコン４から出力されるスピンドル制御用、トラッキング制御用、フォーカス制御用、スレッド制御用の各種駆動情報をディジタルアナログ変換処理してこれらの駆動信号を生成し、これら駆動信号をモーターアンプ部１８に出力する。
【００４２】
なおＤＶＤ信号処理部１４は、後述するＵＤＦ、ＶＭＧの作成時、ドライバソフトの記録時等においては、圧縮／伸長処理部６の出力データに代えて、マイコン４から供給される対応するデータを処理してアナログフロントエンド部１６に出力するようになされている。またこれとは逆に、これらを再生する場合には、アナログフロントエンド部１６の出力データを動画ファイル等の再生時と同様に処理してマイコン４に出力するようになされている。
【００４３】
アナログフロントエンド部１６は、光学ヘッド１９から光ディスク２に照射するレーザービームについて、光量制御信号を生成して出力する。アナログフロントエンド部１６は、再生時、この光量制御信号により光学ヘッド１９から光ディスク２に照射するレーザービームの光量を再生用の一定光量に保持するのに対し、記録時、ＤＶＤ信号処理部１４からの出力データに応じてこの光量制御信号の信号レベルを変化させ、これによりこのＤＶＤ信号処理部１４からの出力データに応じてレーザービームの光量を再生時の光量から記録の光量に間欠的に立ち上げる。
【００４４】
またアナログフロントエンド部１６は、光学ヘッド１９から得られる戻り光の受光結果を増幅して演算処理することにより、光ディスク２に形成されたピット列に対応して信号レベルが変化する再生信号を生成し、この再生信号の信号処理によりこの再生信号の２値識別結果である再生データをＤＶＤ信号処理部１４に出力する。またこの演算処理により、トラッキングエラー量、フォーカスエラー量に応じて信号レベルが変化するトラッキングエラー信号、フォーカスエラー信号等を生成し、これらの信号をディジタル信号によりマイコン４に出力する。
【００４５】
モーターアンプ部１８は、ＤＶＤ信号処理部１４から出力される各種駆動信号により、それぞれ対応する機構を駆動する。すなわちモーターアンプ部１８は、これらの駆動信号のうち、スピンドル制御用の駆動信号、スレッド制御用の駆動信号によりスピンドルモータ２０、スレッドモータ２１を回転駆動する。またトラッキング制御用の駆動信号、フォーカス制御用の駆動信号により光学ヘッド１９に搭載のアクチュエータを駆動する。
【００４６】
スピンドルモータ２０は、光ディスク２をチャッキングして所定の回転速度により回転駆動する。スレッドモータ２１は、光学ヘッド１９を光ディスク２の半径方向に可動させる。
【００４７】
光学ヘッド１９は、アナログフロントエンド部１６から出力される光量制御信号により内蔵の半導体レーザーからレーザービームを出射し、対物レンズを介してこのレーザービームを光ディスク２の情報記録面に集光する。またこのレーザービームの照射により光ディスク２から得られる戻り光をこの対物レンズを介して所定の受光素子に導き、この受光素子の受光結果をアナログフロントエンド部１６に出力する。光学ヘッド１９は、この対物レンズがトラッキング制御用の駆動信号、フォーカス制御用の駆動信号により駆動されるアクチュエータにより可動するようになされ、これによりトラッキング制御、フォーカス制御できるようになされている。またレーザービームの光量が光量制御信号により間欠的に立ち上げられ、これにより光ディスク２の情報記録面を局所的に温度上昇させて所望のデータを記録するようになされている。
【００４８】
マイコン４は、この光ディスク装置１全体の動作を制御するコンピュータであり、この光ディスク装置１に事前にインストールされた処理プログラムを実行することにより図示しない操作部を介して得られるユーザーの操作により、さらにはアナログフロントエンド部１６で検出される各種信号等により、各部の動作を制御する。すなわちマイコン４は、アナログフロントエンド部１６で検出されるトラッキングエラー信号、フォーカスエラー信号により、トラッキング制御用、フォーカス制御用の駆動情報を生成し、ＤＶＤ信号処理部１４でアナログ信号に変換してモーターアンプ部１８に出力し、これによりトラッキング制御、フォーカス制御の処理を実行する。またヘッダー情報処理部７で検出されるヘッダー情報等によりレーザービーム照射位置を検出し、この検出結果よりスレッド制御用の駆動情報を生成してＤＶＤ信号処理部１４に出力し、これによりシーク等の処理を実行する。また同様にしてスピンドル制御の処理を実行する。
【００４９】
またこれらの光ディスク２に関する処理を前提として、マイコン４は、光ディスク２が装填されると、また光ディスク２を装填した状態で電源が立ち上げられると、光ディスク２の内周側領域をアクセスして光ディスク２の種類を判定し、この光ディスク２が再生専用の光ディスクの場合、又はファイナライズ処理されてなる光ディスク２の場合、ＶＭＧを再生して光ディスク２に記録されたファイルの再生に必要なデータを取得する。またこの取得したデータに従ってユーザーの所望するファイルを再生するように、全体の動作を制御する。
【００５０】
これに対して光ディスク２が未だファイナライズ処理されていないＤＶＤ−Ｒ、ＤＶＤ−ＲＷの場合、ユーザーの操作に応動して全体の動作を制御し、動画及び静止画のデータを記録し、これにより動画ファイル、静止画ファイルを光ディスク２に記録する。また光ディスク２に記録された動作ファイル、静止画ファイルを再生し、再生結果をモニタ部１２で表示し、さらには外部機器に出力する。またこのような動画ファイル及び静止画ファイルを記録した光ディスク２について、ファイナライズ処理されてなる光ディスク２にあっては、ＶＭＧの記録に代えて又はＶＭＧの記録に加えて、ＵＤＦの記録に従って、光ディスク２に記録されたファイルを再生する。
【００５１】
これらの処理において、光ディスク２がＤＶＤ−Ｒの光ディスクであって、何らファイル等を記録していないバージンディスクの場合、マイコン４は、図１に示す手順により動画ファイル、拡張ファイルを順次光ディスク２に記録する。すなわちマイコン４においては、光ディスク２より取得してメモリに保持したＲＭＡの情報を更新することにより、Ｒｚｏｎｅ１を予約する（図１（Ａ））。
【００５２】
また動画を記録する場合には、同様にしてＲＭＡの情報を更新することによりＲｚｏｎｅ２、Ｉｎｖｉｓｉｂｌｅ　Ｒｚｏｎｅを予約し（図１（Ａ））、実データであるビデオデータを順次Ｉｎｖｉｓｉｂｌｅ　Ｒｚｏｎｅに記録してＶＴＳＴＴ　ＶＯＢＳを生成する。またユーザーにより録画の停止が指示されると、ＶＴＳＴＴ　ＶＯＢＳの記録開始位置のアドレス情報、ファイルサイズ、記録日時等により管理情報を生成し、この管理情報を記録してＶＴＳＩ　ＢＵＰを生成し（図１（Ｂ））、またＶＴＳＩ、ＶＴＳＭ　ＶＯＢＳを生成して１つのＶＴＳを生成する（図１（Ｃ））。またこの管理情報をメモリに保持すると共に、このようにして光ディスク２に記録したＶＴＳに続いて、それまでに光ディスク２に記録されているＶＴＳについて、各ＶＴＳの記録位置を示す仮ＶＭＧ（Ｔ．Ｖ）を記録し、またこの仮ＶＭＧ（Ｔ．Ｖ）に対応するように、またメモリに保持したＲＭＡの情報を更新する。なおここでこの仮ＶＭＧ（Ｔ．Ｖ）は、ファイナライズまでの間、ＶＭＧに代えて光ディスク２に記録された動画ファイルを管理する管理情報であり、光ディスク２においては、ファイナライズ前の段階においては、この管理情報により動画ファイルを再生できるようになされている。
【００５３】
具体的に、マイコン４は、光ディスク２のＲＭＡに設けられたＮＷＡ（Ｎｅｘｔ　Ｗｒｉｔａｂｌｅ　Ａｄｄｒｅｓｓ　）がこのようにして記録した仮ＶＭＧ（Ｔ．Ｖ）の続く領域を指し示すように、ＲＭＡの情報を更新する。これによりマイコン４は、ＮＷＡを基準にした情報記録面の管理により、仮ＶＭＧ（Ｔ．Ｖ）等を管理する。ここでＮＷＡは、光ディスク２における未記録領域の先頭アドレスを示し、マイコン４においては、光ディスク２が装填されると、光ディスク２からＮＷＡを再生してメモリに保持し、光ディスク２への各種データの記録に対応してメモリに保持したＮＷＡを更新する。また光ディスク２の排出時、電源立ち下げ時、このようにしてメモリに保持したＮＷＡにより光ディスク２に記録されたＮＷＡを書き換える。これによりマイコン４は、処理の途中で光ディスクが他の光ディスク装置に移し代えられた場合等でも、このＮＷＡにより未記録領域の先頭アドレスを確認することができるようになされている。
【００５４】
続いて動画を記録する場合、マイコン４は、同様にメモリに保持したＲＭＡの情報を更新して、Ｒｚｏｎｅ２、Ｉｎｖｉｓｉｂｌｅ　Ｒｚｏｎｅを予約した後、実データを順次Ｉｎｖｉｓｉｂｌｅ　Ｒｚｏｎｅに記録してＶＴＳＴＴ　ＶＯＢＳ、ＶＴＳＩ　ＢＵＰを生成し、またＶＴＳＩ、ＶＴＳＭ　ＶＯＢＳを生成し、これらに対応するように、管理情報をメモリに記録し、さらに仮ＶＭＧ（Ｔ．Ｖ）を光ディスク２に記録し、メモリに保持したＲＭＡの情報を更新する（図１（Ｄ）。
【００５５】
これによりマイコン４は、ＩＮＣ方式により動画を記録する場合には、従来のＩＮＣ方式による場合と同様に、動画ファイルと、この動画ファイルの再生に必要な動画ファイルの管理情報であるＶＴＳＩとを組にして順次タイトルを記録するようになされ、またこのようにして記録した動画ファイルを仮ＶＭＧ（Ｔ．Ｖ）により管理できるようになされている。また未だファイナライズされていない光ディスク２が装填され、この光ディスク２に追記する場合には、同様の処理を実行し、これにより撮像結果である動画を追記する。
【００５６】
これらの処理において、マイコン４は、メモリに保持したＲＭＡのデータを適宜更新し、光ディスク２の排出時、電源の立ち下げ時等において、このメモリに保持したＲＭＡのデータを光ディスク２に追記し、これにより光ディスク２のＲＭＡを書き換える。これにより光ディスク装置１においては、メモリの記録が失われた後においても、このＲＭＡの記録を基準にして、仮ＶＭＧを再生し、この仮ＶＭＧにより各ＶＴＳのＶＴＳＩを再生することができるようになされ、これによりファイナライズ前の光ディスク２についてもアクセスできるようになされている。
【００５７】
これに対してファイナライズの処理においては、このように光ディスク２に記録してなる各ＶＴＳのＶＴＳＩに対応して、メモリに保持してなる管理情報によりＲｚｏｎｅ１のＵＤＦ、ＶＭＧを生成し、リードイン、リードアウトを生成する。なお未だファイナライズされていない光ディスク２に追記した場合には、既に光ディスク２に記録済のタイトルのＶＴＳＩ、ＶＴＳＭ　ＶＯＢＳにより、これらタイトルについてのＵＤＦ、ＶＭＧのデータを生成することは、言うまでもない。
【００５８】
これらによりこの光ディスク装置１では、動画のファイルについては、従来と同様のＩＮＣ方式による処理により、ＤＶＤビデオフォーマットにより記録するようになされている。
【００５９】
これに対して静止画を記録する場合、メモリに保持したＲＭＡの更新により、Ｉｎｖｉｓｉｂｌｅ　Ｒｚｏｎｅを予約し、拡張ファイルである静止画のファイルＥＦを順次記録する（図１（Ｅ））。またこの静止画ファイルＥＦの記録に対応するように、ファイナライズまでの間、一時的に静止画ファイルを管理する管理情報である拡張管理情報を順次作成して内蔵のメモリに保持する。
【００６０】
さらに所望するファイル数だけ静止画ファイルを記録してユーザーにより静止画ファイルの記録の終了が指示されると、メモリに保持したＲＭＡの更新により、Ｉｎｖｉｓｉｂｌｅ　Ｒｚｏｎｅを閉じ、静止画ファイルに続く領域に拡張ファイルの拡張管理情報ＤＫを記録する。さらに続いて光ディスク２に記録してなる各ＶＴＳのＶＴＳＩと共に、このようにして記録した拡張管理情報ＤＫを指し示すように、仮ＶＭＧ（Ｔ．Ｖ）を記録し、Ｒｚｏｎｅ３を予約する（図１（Ｅ））。なおここでこの拡張管理情報ＤＫは、拡張ファイルの再生に必要な管理情報であり、詳細については後述する。
【００６１】
これによりマイコン４は、拡張ファイルについては、１又は複数の拡張ファイルと、これら拡張ファイルを管理する拡張管理情報ＤＫとを組にして光ディスク２に記録するようになされている。またこのとき、光ディスク２に記録するファイルが動画ファイルの場合、管理情報、ファイル、管理情報のバックアップ用情報が順次連続するように記録するのに対し、動画以外のファイルである静止画ファイルを光ディスク２に記録する場合、拡張ファイル、拡張管理情報ＤＫを順次記録し、これによりファイルの属性に応じて、管理情報の記録フォーマットを切り換えるようになされている。
【００６２】
これらにより光ディスク装置１では、ＤＶＤビデオフォーマットによる動画によるファイルと共に、ＤＶＤビデオフォーマットによっては定義されていない静止画によるファイルを管理情報と共に記録するようになされている。
【００６３】
マイコン４は、このようにして拡張管理情報ＤＫを記録する際に、対応する拡張ファイルが後述する拡張管理情報ＤＫの属性管理情報ＣＩにより新規に定義されるファイルの場合、拡張ファイルＥＦに続いて、変換プログラムＥＸ．Ｃ、拡張ファイルのドライバソフトＥＸ．Ｄを記録する。またこの変換プログラムＥＸ．Ｃ、拡張ファイルのドライバソフトＥＸ．Ｄの記録位置を属性管理情報ＣＩにより指し示すようにする。なおここでこの属性管理情報ＣＩにより新規に拡張ファイルが定義される場合は、この対応する拡張ファイルが、それまでに光ディスク２に記録されている拡張ファイルとは異なる種類によるファイルの場合であり、この実施の形態においては、拡張ファイルが静止画ファイルであることにより、始めに静止画ファイルを記録して拡張管理情報ＤＫを記録する際に、これら変換プログラムＥＸ．Ｃ、拡張ファイルのドライバソフトＥＸ．Ｄを記録するようになされている。
【００６４】
かくするにつきドライバソフトＥＸ．Ｄは、コンピュータにインストールして静止画ファイルをデコード可能とするドライバソフトである。変換プログラムＥＸ．Ｃは、ＤＶＤビデオフォーマットによる動画ファイルの再生環境で再生可能に、拡張ファイルのフォーマットを直接に、又は間接的に変換する変換プログラムである。この実施の形態においては、拡張ファイルが静止画ファイルであることにより、拡張ファイルを順次デコードして得られる複数ピクチャーの画像データを、それぞれＩピクチャーに設定してＭＰＥＧ２のフォーマットによりデータ圧縮するプログラムが変換プログラムＥＸ．Ｃに適用されるようになされ、これにより直接に、動画ファイルの再生環境で再生可能に、拡張ファイルのフォーマットを変換するようになされている。なおこのような拡張ファイルを順次デコードする機能は、ドライバソフトの機能であることにより、変換プログラムＥＸ．Ｃにおいては、ドライバソフトによりデコードした画像データをそれぞれＩピクチャーに設定してＭＰＥＧ２のフォーマットによるデータ圧縮することにより、間接的に、動画ファイルの再生環境で再生可能に、拡張ファイルのフォーマットを変換することもできる。
【００６５】
マイコン４は、このように光ディスク２に記録する拡張管理情報ＤＫを併せて内蔵のメモリに記録して保持する。またこのようにして拡張管理情報ＤＫを記録した後、再び静止画によるファイルを記録する場合、マイコン４は、同様に順次拡張ファイルを記録した後、ユーザーによる終了の指示により、拡張管理情報ＤＫを記録する。
【００６６】
これに対して続いて動画を記録する場合、Ｚｏｎｅ、Ｉｎｖｉｓｉｂｌｅ　Ｒｚｏｎｅを予約し、ＶＴＳＴＴ　ＶＯＢＳ、ＶＴＳＩ　ＢＵＰ、ＶＴＳＩ、ＶＴＳＭ　ＶＯＢＳを生成し、これにより拡張管理情報ＤＫに続いてＶＴＳを生成する（図１（Ｅ））。
【００６７】
またこのようにして記録した拡張ファイルについては、仮ＶＭＧ、拡張管理情報ＤＫを再生して再生可能なファイルをユーザーに通知し、ユーザーにより再生が指示されると、拡張管理情報ＤＫを基準にして対応する拡張ファイルを再生する。このときマイコン４は、このような拡張ファイルのデコードが圧縮／伸長処理部６によっては実行困難な場合、さらには対応するドライバソフトを保持していない場合、光ディスク２に記録されたドライバソフトＥＸ．Ｄを再生してインストールし、このインストールしたドライバソフトＥＸ．Ｄにより拡張ファイルをデコードする。これにより光ディスク２においては、種々の拡張ファイルに対応できるようになされている。
【００６８】
またユーザーにより光ディスク２のファイナライズが指示されると、マイコン４においては、このようにして作成した全てのタイトルの管理情報（ＶＴＳＩ、ＶＴＳＴＴ　ＶＯＢＳ）、全ての拡張ファイルの拡張管理情報ＤＫからＵＤＦのデータを作成して光ディスク２に記録する（図１（Ｆ））。また全てのタイトルの管理情報（ＶＴＳＩ、ＶＴＳＴＴ　ＶＯＢＳ）のみからＶＭＧのデータを生成して光ディスク２に記録する。なおこれらＵＤＦ、ＶＭＧのデータの生成においては、メモリに保持した拡張管理情報等より作成する。またマイコン４は、このようにしてＵＤＦ、ＶＭＧを記録すると、リードイン、リードアウトを作成する。なおこのようなＵＤＦ、ＶＭＧの記録、リードイン、リードアウトの作成、さらには拡張管理情報ＤＫの記録について、マイコン４は、対応するデータのＤＶＤ信号処理部１４への出力により実行する。
【００６９】
これによりこの実施の形態においては、コンピュータ用の管理情報であるＵＤＦについては、拡張ファイルについても認識して再生できるように管理情報を記録するのに対し、ＤＶＤ再生用の管理情報であるＶＭＧについては、拡張ファイルに係る情報は何ら記録しないようなされている。
【００７０】
マイコン４は、このようにしてファイナライズの処理を実行する際に、光ディスク２に拡張ファイルが記録されている場合、各拡張ファイルを順次再生してデコードし、その結果得られる複数ピクチャーの画像データを、それぞれＩピクチャーに設定してＭＰＥＧ２のフォーマットによりデータ圧縮する。またこのようにしてデータ圧縮した複数ピクチャーによるビデオデータを１つのタイトルに設定して光ディスク２に記録する。またこの処理において、このような拡張ファイルのデコード、各ピクチャーをＩピクチャーに設定したＭＰＥＧ２のフォーマットによるデータ圧縮が圧縮／伸長処理部６によっては実行困難な場合、さらには対応するドライバソフト、変換プログラムを保持していない場合、光ディスク２に記録された対応する変換プログラムＥＸ．Ｃを再生してインストールし、この変換プログラムＥＸ．Ｃにより、これらの処理を実行する。これにより光ディスク２においては、拡張ファイルについても、ＤＶＤプレイヤーにより再生できるようになされ、その分、ＤＶＤプレイヤーとの間の互換性を高めることができるようになされている。
【００７１】
図３及び図４は、このような動画ファイル、拡張ファイルの記録における拡張管理情報ＤＫ等の関係の説明に供する図表である。なお以下において、拡張ファイルＥＦ及び拡張管理情報ＤＫは、記録順を示す数字を符号に付して示す。またＮＷＡにより指し示される位置を符号Ａを付した矢印により示す。
【００７２】
仮ＶＭＧ（Ｔ．Ｖ）は、上述したように、ＮＷＡにより記録位置の末尾に続く領域が指し示されるように、ＶＴＳ、拡張ファイルを記録する毎に、追記され、これにより光ディスク２においては、他の光ディスク装置に移し換えられた場合でも、仮ＶＭＧ（Ｔ．Ｖ）を再生できるようになされている。仮ＶＭＧ（Ｔ．Ｖ）は、光ディスク２にそれまでに記録した各ＶＴＳの管理情報であるＶＴＳＩの先頭アドレスがテーブルの形式により記録される。これにより光ディスク２においては、ＮＷＡにより指示される未記録領域の直前領域を再生してこの仮ＶＭＧ（Ｔ．Ｖ）を再生し、この仮ＶＭＧ（Ｔ．Ｖ）に記録された各ＶＴＳのＶＴＳＩを再生して、光ディスク２に記録された動画ファイルの再生に必要な各種の情報を取得できるようになされている。なお図３及び図４においては、このようなアドレスにより指し示される関係を矢印により示す。
【００７３】
この実施の形態においては、この仮ＶＭＧ（Ｔ．Ｖ）のテーブルの１つに、拡張管理情報ＤＫに対応するテーブルあることを示すフラグが設定されて、光ディスク２にそれまで記録されている最新の拡張管理情報ＤＫの記録位置を示すアドレスが記録されるようになされている。これによりこの光ディスク２においては、動画ファイルの再生に必要な情報と共に、拡張ファイルＥＦの再生に必要な拡張管理情報ＤＫを再生できるようになされている。
【００７４】
なお図３（Ａ）においては、始めに動画ファイルによるＶＴＳ＃１を記録し、続いて仮ＶＭＧ（Ｔ．Ｖ）を記録し、さらに複数の拡張ファイルＥＦ１、対応する拡張管理情報ＤＫ１、仮ＶＭＧ（Ｔ．Ｖ）を記録した場合であり、この場合、最後尾に記録された仮ＶＭＧ（Ｔ．Ｖ）がＮＷＡにより指し示され、この仮ＶＭＧ（Ｔ．Ｖ）によりそれぞれＶＴＳ、拡張管理情報ＤＫ１の記録位置が示されるようになされている。また図３（Ｂ）は、さらに続いて動画ファイル（ＶＴＳ＃２）を記録した場合であり、この場合、この動画ファイルに続いて記録した最後尾の仮ＶＭＧ（Ｔ．Ｖ）がＮＷＡにより指し示され、この仮ＶＭＧ（Ｔ．Ｖ）により、それぞれ先頭のＶＴＳ＃１、拡張管理情報ＤＫ１、最後尾のＶＴＳ＃２の記録位置が示されるようになされている。
【００７５】
このようにして仮ＶＭＧ（Ｔ．Ｖ）によりＶＴＳと共に記録位置が指し示される拡張管理情報ＤＫ１においては、拡張ファイルＥＦ１又はドライバソフトＥＸ．Ｄに続いて、順次、拡張ファイル情報ＥＸ、属性管理情報ＣＩ、拡張ファイルの案内情報Ｔ．Ｅが記録されて形成される。
【００７６】
ここで拡張ファイルの案内情報Ｔ．Ｅは、拡張ファイルＥＦが記録された領域の全体を管理する情報であり、上述した仮ＶＭＧ（Ｔ．Ｖ）に先頭記録位置のアドレスが記録されるようになされ、これにより拡張管理情報ＤＫ１においては、仮ＶＭＧ（Ｔ．Ｖ）を再生して得られるアドレスより、この拡張ファイルの案内情報Ｔ．Ｅを再生することができるようになされている。拡張ファイルの案内情報Ｔ．Ｅは、属性管理情報ＣＩの数、各属性管理情報ＣＩの記録位置が割り当てられるようになされている。
【００７７】
ここで属性管理情報ＣＩは、光ディスク２に記録された拡張ファイルの種類毎に設けられ、各種類の拡張ファイルをそれぞれ管理するようになされている。すなわち属性管理情報ＣＩは、管理するファイルのカテゴリを示す識別情報、ディレクトリの情報、拡張ファイルの記録フォーマット、拡張ファイル情報ＥＸの先頭記録位置を示す情報等が記録されるようになされ、これによりコンピュータにおけるファイル管理システムと互換性を維持できるようになされている。また属性管理情報ＣＩを設定して種々の拡張ファイルを定義できるようになされ、これにより必要に応じて簡易に拡張管理情報ＤＫを拡張して記録可能な各種拡張ファイルを種々に設定することができるようになされている。
【００７８】
ここで拡張ファイル情報ＥＸは、それぞれ対応する拡張ファイルの先頭記録位置、ファイルサイズ、ファイル名等による情報であり、この実施の形態では、拡張ファイルを記録した直後の拡張管理情報ＤＫにのみに割り当てられるようになされている。これにより拡張ファイル情報ＥＸは、それぞれ対応する拡張ファイルが記録された箇所にまとめられて、光ディスク２の各部に記録され、属性管理情報ＣＩにおいては、このようにして光ディスク２の各部にまとめて記録された拡張ファイル情報ＥＸのグループの先頭記録位置を指し示すようになされている。
【００７９】
これにより光ディスク２においては、ＮＷＡ、仮ＶＭＧ、拡張ファイルの案内情報Ｔ．Ｅ、属性管理情報ＣＩを順次辿って拡張ファイル情報ＥＸを再生できるようになされ、この拡張ファイル情報ＥＸにより所望する拡張ファイルを再生できるようになされている。またこのように属性管理情報ＣＩにおいては、このようにして光ディスク２の各部にまとめて記録された拡張ファイル情報ＥＸによる各グループの先頭記録位置を指し示すことにより、情報記録面を有効利用できるようになされている。
【００８０】
属性管理情報ＣＩにおいては、さらに対応する変換プログラムＥＸ．Ｃ、ドライバソフトＥＸ．Ｄの記録位置を指し示すように、これら変換プログラムＥＸ．Ｃ、ドライバソフトＥＸ．Ｄを記録した領域の先頭アドレスが記録される。
【００８１】
すなわち図３（Ａ）においては、拡張ファイルＥＦ１の記録位置が拡張ファイル情報ＥＸにより指し示され、この拡張ファイル情報ＥＸの記録位置、拡張ファイルＥＦ１の変換プログラムＥＸ．Ｃ、ドライバソフトＥＸ．Ｄの記録位置が属性管理情報ＣＩにより指し示される。またこの属性管理情報ＣＩの記録位置が拡張ファイルの案内情報Ｔ．Ｅにより指し示され、この拡張ファイルの案内情報Ｔ．Ｅの記録位置が、拡張ファイルＥＦ１の前に記録されたＶＴＳ＃１の記録位置と共に、末尾の仮ＶＭＧにより指し示されるようになされている。
【００８２】
また図３（Ｂ）に示すように、続いてＶＴＳ＃２を記録した場合には、末尾に追記した仮ＶＭＧにより、拡張ファイルの案内情報Ｔ．Ｅの記録位置、先頭のＶＴＳ＃１の記録位置、続いて記録したＶＴＳ＃２の記録位置が指し示されるようになされている。また図３（Ｃ）により示すように、続いて拡張ファイルＥＦ１と同一種類の拡張ファイルＥＦ２を記録した場合には、この拡張ファイルＥＦ２については、続いて対応する拡張ファイル情報ＥＸにより記録位置が指し示され、またこの拡張ファイル情報ＥＸと、先に記録されている拡張ファイルＥＦ１の拡張ファイル情報ＥＸとが新たに記録された属性管理情報ＣＩにより指し示される。またこの新たに記録された属性管理情報ＣＩにより、先に記録されている拡張ファイルＥＦ１に続く変換プログラムＥＸ．Ｃ、ドライバソフトＥＸ．Ｄが指し示され、またこの属性管理情報ＣＩが、続く案内情報Ｔ．Ｅにより指し示される。またこの案内情報Ｔ．Ｅにおいては、ＶＴＳ＃１、ＶＴＳ＃２の管理情報と共に仮ＶＭＧにより指し示されるようになされている。
【００８３】
これに対して図４（Ｄ）に示すように、さらに種類の異なる拡張ファイルＥＦ３が追記された場合、この拡張ファイルＥＦ３に続いて対応する変換プログラムＥＸ．Ｃ、ドライバソフトＥＸ．Ｄが記録され、またこの拡張ファイルＥＦ３を指し示す拡張ファイル情報ＥＸが記録される。またこの拡張ファイル情報ＥＸ、変換プログラムＥＸ．Ｃ、ドライバソフトＥＸ．Ｄを指し示す属性管理情報ＣＩが記録され、さらに拡張ファイルＥＦ１の拡張ファイル情報ＥＸ、この拡張ファイルＥＦ１と共に記録した変換プログラムＥＸ．Ｃ、ドライバソフトＥＸ．Ｄ、拡張ファイルＥＦ２の拡張ファイル情報ＥＸを指し示す属性管理情報ＣＩが記録され、これら２種類の属性管理情報ＣＩを指し示す案内情報Ｔ．Ｅ、この案内情報Ｔ．Ｅ、ＶＴＳ＃１、ＶＴＳ＃２の管理情報を指し示す仮ＶＭＧが記録されるようになされている。
【００８４】
これに対して光ディスク２がＤＶＤ−ＲＷの場合、マイコン４は、図１との対比により図５に示す手順により、順次動画ファイル、拡張ファイルを記録する。すなわちマイコン４は、光ディスク２より取得してメモリに保持したＲＭＡの情報を更新することにより、パディングの処理を実行し、ＵＤＦ、ＶＭＧの領域を確保する。またユーザーにより動画ファイルの記録が指示された場合には、パディングの処理により、続くタイトルのＶＴＳＩ、ＶＴＳＭ　ＶＯＢＳの領域を確保する（図５（Ａ））。またこれらの処理により、メモリに保持したＲＭＡのデータを更新する。
【００８５】
またユーザーにより記録の開始が指示されると、動画ファイルのデータによる実データを順次記録してＶＴＳＴＴ　ＶＯＢＳを生成した後、記録開始位置のアドレス情報、ファイルサイズ、記録日時等により管理情報を生成し、この管理情報を記録してＶＴＳＩ　ＢＵＰを生成する。また続くタイトルの記録のために、パディングによりＶＴＳＩ、ＶＴＳＭ　ＶＯＢＳの領域を確保する（図５（Ｂ））。またＶＴＳＴＴ　ＶＯＢＳの記録開始位置より所定領域分だけ戻った位置より、順次管理情報を記録し、これによりＶＴＳＩ、ＶＴＳＭ　ＶＯＢＳを形成し、これにより１つのタイトルの記録を完了する（図５（Ｃ））。これらの処理において、マイコン４は、このタイトルの管理情報をメモリに記録して保持する。
【００８６】
これにより続いて動画を記録する場合、マイコン４は、同様に各部の動作を制御し、これらにより動画ファイルの記録においては、従来と同様のＲＯＷ方式により、動画ファイルと、この動画ファイルの再生に必要な管理情報であるＶＴＳＩとを組にして、順次動画ファイルを記録するようになされている（図５（Ｄ））。
【００８７】
これらの処理において、マイコン４は、メモリに保持したＲＭＡのデータを適宜更新し、光ディスク２の排出時、電源の立ち下げ時等において、このメモリに保持したＲＭＡのデータにより光ディスク２のＲＭＡを書き換える。これにより光ディスク装置１においては、メモリの記録が失われた後においても、このＲＭＡの記録を基準にして、ファイナライズ前の光ディスク２をアクセスできるようになされている。
【００８８】
またＵＤＦ、ＶＭＧの領域の間の、固定した領域に、仮ＶＭＧを記録する。これによりマイコン４においては、ＤＶＤ−ＲＷについても、この仮ＶＭＧにより光ディスク２に記録された動画ファイルを再生できるようになされている。
【００８９】
これに対してファイナライズの処理においては、このようにして生成してメモリに保持した管理情報によりＵＤＦ、ＶＭＧを生成し、リードイン、リードアウトを生成する。これらによりこの光ディスク装置１では、動画のファイルについては、従来と同様のＲＯＷ方式による処理により、ＤＶＤビデオフォーマットにより記録するようになされている。
【００９０】
これに対してユーザーが静止画の記録を指示した場合、マイコン４は、パディングにより確保した領域の先頭位置に実データの記録開始位置を設定する。またマイコン４は、ユーザーによる記録開始の指示により、拡張ファイルである静止画のファイルＥＦを順次記録する（図５（Ｅ））。またこの静止画ファイルＥＦの記録に対応するように、拡張管理情報ＤＫを順次作成して内蔵のメモリに保持する。
【００９１】
さらに所望するファイル数だけ静止画ファイルを記録してユーザーにより静止画ファイルの記録の終了が指示されると、メモリに保持した拡張管理情報を光ディスク２への記録のフォーマットに変換し、この拡張管理情報ＤＫを記録し、続くタイトルの記録のために、パディングによりＶＴＳＩ、ＶＴＳＭ　ＶＯＢＳの領域を確保する（図５（Ｆ））。またＩＮＣ方式による場合と同様に、この拡張ファイルの種類に応じて、変換プログラムＥＸ．Ｃ、ドライバソフトＥＸ．Ｄを記録し、またこれらの記録に対応するように、仮ＶＭＧ（Ｔ．Ｖ）を更新する。
【００９２】
かくするにつきマイコン４は、続いて動画ファイルを記録する場合には、パディングにより確保した領域に続いて、実データによりＶＴＳＴＴ　ＶＯＢＳ、ＶＴＳＩ　ＢＵＰを記録した後、パディングにより続く領域を確保し、先頭側に戻ってＶＴＳＩ、ＶＴＳＭ　ＶＯＢＳを記録して１つのタイトルを記録するようになされている（図５（Ｆ））。また静止画ファイルを記録する場合には、同様に、パディングの先頭に戻って、順次記録して管理用データを記録した後、パディングにより領域を確保するようになされている。またファイナライズ前の光ディスク２が装填された場合には、ＩＮＣ方式の場合と同様に、仮ＶＭＧ（Ｔ．Ｖ）を基準にして動画ファイル、拡張ファイルを再生し、また必要に応じて変換プログラムＥＸ．Ｃ、ドライバソフトＥＸ．Ｄを再生して拡張ファイルを処理する。またユーザーによるファイナライズの指示により、このような管理情報によりＵＤＦ、ＶＭＧ、リードイン、リードアウトを作成するようになされている。
【００９３】
かくするにつき、マイコン４においては、このように仮ＶＭＧの記録位置がＩＮＣ方式の場合とは異なる点を除いて、上述したＩＮＣ方式による場合と同様に光ディスク２に動画ファイル、拡張ファイル、関連する各種管理情報を記録し、さらはファイナライズの処理を実行するようになされている。
【００９４】
図６は、このようなマイコン４によるＤＶＤ−Ｒ、ＤＶＤ−ＲＷに係る光ディスク２の一連の処理を示すフローチャートである。マイコン４は、電源が立ち上げられると、ステップＳＰ１からステップＳＰ２に移り、図示しない光ディスク２の検出機構により光ディスク２の有無を判断する。ここで否定結果が得られると、マイコン４は、ステップＳＰ２を繰り返す。なおこの場合、マイコン４は、図示しない表示手段に「Ｎｏ　Ｄｉｓｋ」等のメッセージを表示し、ユーザーに光ディスク２の装填を指示するようになされている。
【００９５】
これに対して光ディスク２が装填された状態で電源が立ち上げられた場合、さらには電源を立ち上げた後、光ディスク２が装填されると、ステップＳＰ２で肯定結果が得られることにより、ステップＳＰ２からステップＳＰ３に移る。ここでマイコン４は、光ディスク２の排出が指示されたか否か判断し、ここで肯定結果が得られると、光ディスク２の排出を図示しないローディング機構に指示した後、ステップＳＰ２に戻る。
【００９６】
これに対してユーザーより光ディスク２の排出以外の指示が得られると、ステップＳＰ３からステップＳＰ４に移り、光ディスク２の種類を判定する。ここでマイコン４は、光ディスク２がＤＶＤ−ＲかＤＶＤ−ＲＷか判定し、この判定結果により図１又は図５について上述した書き込み方式を設定する。また光ディスク２がバージンディスクか否か判断し、ここでバージンディスクの場合、ステップＳＰ５に移って初期化の処理を実行した後、ステップＳＰ６に移る。これに対してバージンディスクではない場合、ステップＳＰ４から直接ステップＳＰ６に移る。
【００９７】
このステップＳＰ６において、マイコン４は、ユーザーによる操作が記録を指示する操作か（ＲＥＣにより示す）、再生を指示する操作か（ＰＢにより示す）、電源の立ち下げを指示する操作が（Ｐｏｗｅｒ　ＯＦＦにより示す）か判断する。ここでユーザーによる操作が再生を指示する操作の場合、マイコン４は、ステップＳＰ６からステップＳＰ７に移り、光ディスク２に記録されたファイルを再生する再生処理手順を実行してステップＳＰ３に戻る。
【００９８】
これに対してユーザーによる操作が記録を指示する操作の場合、マイコン４は、ステップＳＰ６からステップＳＰ８に移り、光ディスク２に動画又は静止画を記録する記録処理手順を実行してステップＳＰ３に戻る。なおマイコン４は、光ディスク２がいわゆるファイナライズ処理されてＵＤＦ、ＶＭＧが形成されている場合、光ディスク２にデータを記録できないように処理されていることにより、記録処理手順を省略してステップＳＰ３に戻る。またこのようにファイナライズ処理されている場合でも、光ディスク２が消去可能なＤＶＤ−ＲＷの場合、ユーザーの確認により記録済データを消去して、記録処理手順を実行する。
【００９９】
これに対してユーザーによる操作が電源を立ち下げる操作の場合、マイコン４は、ステップＳＰ６からステップＳＰ９に移り、電源立ち下げの処理を実行し、ステップＳＰ１０に移ってこの処理手順を終了する。
【０１００】
図７及び図８は、図６について上述した記録処理手順を示すフローチャートである。マイコン４は、この記録処理手順を開始すると、ステップＳＰ１１からステップＳＰ１２に移り、ユーザーによる記録の指示が動画の記録に係るものか、静止画の記録に係るものか、ファイナライズの処理に係るものか判断する。
【０１０１】
ここでユーザーによる記録の指示が動画の記録に係るものの場合、マイコン４は、ステップＳＰ１２からステップＳＰ１３に移り、ユーザーにより記録の開始が指示されたか否か判断する。ここで否定結果が得られると、マイコン４は、ステップＳＰ１３を繰り返すのに対し、肯定結果が得られると、ステップＳＰ１３からステップＳＰ１４に移り、図１及び図５について説明したように、実データを記録する。さらにステップＳＰ１５に移り、ユーザーにより記録の停止が指示されたか否か、さらには十分に記録領域が残っているか否か判断し、ここでユーザーにより停止の指示が得られない場合であって、かつ残り容量が十分な場合、ステップＳＰ１４に戻る。これによりマイコン４は、ステップＳＰ１４−ＳＰ１５−ＳＰ１４の処理手順を繰り返し、順次、実データを記録する。
【０１０２】
これに対してユーザーにより記録の停止が指示され、又は残り容量が十分でない場合、実データの記録を終了してＶＴＳＴＴ　ＶＯＢＳの記録を完了する。続いてマイコン４は、ステップＳＰ１６に移り、ＶＴＳＩ　ＢＵＰ、ＶＴＳＩ、ＶＴＳＭ　ＶＯＢＳを順次形成し、また仮ＶＭＧを形成する。またＩＮＣ方式の場合、この仮ＶＭＧを指し示すように、メモリに記録したＮＷＡを更新し、これにより１つのＶＴＳを記録し、ステップＳＰ１７に移ってこの処理手順を終了する。
【０１０３】
これに対してユーザーにより指示が静止画の記録の場合、マイコン４は、ステップＳＰ１２からステップＳＰ１８に移り、ユーザーにより記録の開始が指示されたか否か判断する。ここで否定結果が得られると、マイコン４は、ステップＳＰ１８を繰り返すのに対し、肯定結果が得られると、ステップＳＰ１８からステップＳＰ１９に移り、図１及び図５について説明したように、静止画ファイルによる拡張ファイルを記録する。さらにステップＳＰ２０に移り、ユーザーにより記録の停止が指示されたか否か、さらには十分に記録領域が残っているか否か判断し、ここでユーザーにより停止の指示が得られない場合であって、かつ残り容量が十分な場合、ステップＳＰ１９に戻る。これによりマイコン４は、ステップＳＰ１９−ＳＰ２０−ＳＰ１９の処理手順を繰り返し、順次、静止画ファイルを記録する。
【０１０４】
これに対してユーザーにより記録の停止が指示され、又は残り容量が十分でない場合、マイコン４は、静止画ファイルの記録を終了してステップＳＰ２１に移る。ここでマイコン４は、拡張管理情報ＤＫ、仮ＶＭＧを記録し、ステップＳＰ１７に移ってこの処理手順を終了する。
【０１０５】
これに対してユーザーにより記録の指示がファイナライズの処理に係るものの記録の場合、マイコン４は、ステップＳＰ１２からステップＳＰ２２に移り（図８）、ユーザーにより記録の開始が指示されたか否か判断する。ここで否定結果が得られると、マイコン４は、ステップＳＰ２２を繰り返すのに対し、肯定結果が得られると、図１及び図５について説明したように、ファイナライズの処理を実行する。
【０１０６】
すなわちマイコン４は、続くステップＳＰ２３において、拡張ファイルが光ディスク２に記録されているか否か判断し、また拡張ファイルが記録されている場合には、この拡張ファイルに対応する変換プログラムＥＸ．Ｃを保持しているか否か判断する。ここで対応する変換プログラムＥＸ．Ｃを保持していない場合、マイコン４は、ステップＳＰ２４に移り、保持していない変換プログラムＥＸ．Ｃを光ディスク２から再生してインストールした後、ステップＳＰ２５に移る。これに対して対応する変換プログラムＥＸ．Ｃを保持している場合、マイコン４は、直接、ステップＳＰ２３からステップＳＰ２５に移る。
【０１０７】
マイコン４は、このステップＳＰ２５において、拡張ファイルが存在する場合には、変換プログラムＥＸ．Ｃにより拡張ファイルをＭＰＥＧ２フォーマットによる画像データに変換し、１つのタイトルにより光ディスク２に記録する。またマイコン４は、ＵＤＦ、ＶＭＧを形成し、さらにはリードイン、リードアウトを作成してファイナライズの処理を完了した後、ステップＳＰ１７に移ってこの処理手順を終了する。なおマイコン４は、このようにして光ディスク２に動画ファイル、拡張ファイルを記録するにつき、必要に応じて光ディスク２より仮ＶＭＧ、ＶＴＳの管理情報、拡張管理情報を読み込んで処理することは言うまでもない。
【０１０８】
これに対して図９及び図１０は、図６について上述した再生処理手順を示すフローチャートである。マイコン４は、この再生処理手順を開始すると、ステップＳＰ３１からステップＳＰ３２に移り、内周側、ＵＤＦ、ＶＭＧに領域を再生すことにより、光ディスク２がファイナライズ処理されたものか否か判断する。ここで肯定結果が得られると、光ディスク２は、ＵＤＦを再生し、光ディスク２に記録されたタイトルの再生に必要な情報を取得してステップＳＰ３４に移る。
【０１０９】
これに対してステップＳＰ３２で否定結果が得られると、マイコン４は、ステップＳＰ３２からステップＳＰ３５に移る。ここでマイコン４は、仮ＶＭＧ、動画ファイルの管理情報、拡張管理情報を順次再生することにより、光ディスク２に記録された各種ファイルの再生に必要な管理情報を再生してメモリに保持する。また続くステップＳＰ３６において、このようにして再生した仮ＶＭＧの記録より光ディスク２に拡張管理情報が記録されているか否か判断することにより、光ディスク２に拡張ファイルが記録されているか否か判断する。ここで否定結果が得られると、マイコン４は、ステップＳＰ３６からステップＳＰ３４に移るのに対し、肯定結果が得られると、ステップＳＰ３６からステップＳＰ３７に移る。ここでマイコン４は、拡張管理情報の属性管理情報ＣＩより、ドライバソフトの記録位置を検出し、この検出結果により拡張ファイルをデコードするドライバソフトを再生する。さらにこの再生したドライバソフトをインストールし、ステップＳＰ３４に移る（図１０）。なおマイコン４は、このドライバソフトを保持している場合には、このようなドライバソフトの再生を省略し、この保持したドライバソフトをインストールする。
【０１１０】
マイコン４は、このステップＳＰ３４において、ユーザーによる再生の指示が動画の記録に係るものか、静止画の記録に係るものか判断する。ここでユーザーによる再生の指示が動画の再生に係るものの場合、マイコン４は、ステップＳＰ３４からステップＳＰ３８に移り、ユーザーにより再生の開始が指示されたか否か判断する。ここで否定結果が得られると、マイコン４は、ステップＳＰ３８を繰り返すのに対し、肯定結果が得られると、ステップＳＰ３８からステップＳＰ３９に移る。ここでマイコン４は、メモリに記録して保持した管理情報を基準にして、ユーザーにより指示された動画のファイルを再生するように全体の動作を制御する。
【０１１１】
すなわち光ディスク２がファイナライズ処理された光ディスクの場合、メモリに保持したＶＭＧのデータにより対応するファイルの記録位置を検出し、この記録位置からの再生を光ディスク装置１の各部に指示する。これに対して光ディスク２がファイナライズ処理されていない光ディスクの場合、メモリに保持した各タイトルのＶＴＳＩにより対応するファイルの記録位置を検出し、この記録位置からの再生を光ディスク装置１の各部に指示する。
【０１１２】
このように再生を指示すると、マイコン４は、続いてステップＳＰ４０に移り、ユーザーにより再生の停止が指示されたか否か判断し、ここで否定結果が得られると、ステップＳＰ３９に戻る。これによりマイコン４は、ステップＳＰ３９−ＳＰ４０−ＳＰ３９の処理手順を繰り返し、順次、ユーザーにより指示された動画のファイルを再生する。これに対してステップＳＰ４０で肯定結果が得られると、マイコン４は、ステップＳＰ４１に移り、再生の処理を停止する停止処理を実行した後、ステップＳＰ４２に移り、この処理手順を終了する。
【０１１３】
これに対してユーザーによる再生の指示が拡張ファイルの再生に係るものの場合、マイコン４は、ステップＳＰ３４からステップＳＰ４３に移り、ユーザーにより再生の開始が指示されたか否か判断する。ここで否定結果が得られると、マイコン４は、ステップＳＰ４３を繰り返すのに対し、肯定結果が得られると、ステップＳＰ４３からステップＳＰ４４に移る。
【０１１４】
ここでマイコン４は、メモリに保持したＵＤＦ又は拡張管理情報により対応する拡張ファイルの記録位置を検出し、この記録位置からの再生を光ディスク装置１の各部に指示する。
【０１１５】
このように再生を指示すると、マイコン４は、続いてステップＳＰ４５に移り、ユーザーにより再生の停止が指示されたか否か判断し、ここで否定結果が得られると、ステップＳＰ４４に戻る。これによりマイコン４は、ステップＳＰ４４−ＳＰ４５−ＳＰ４４の処理手順を繰り返し、順次、ユーザーにより指示された静止画のファイルを再生する。これに対してステップＳＰ４５で肯定結果が得られると、マイコン４は、ステップＳＰ４６に移り、再生の動作を終了し、ステップＳＰ４１に移ってこの処理手順を終了する。
【０１１６】
（１−２）第１の実施の形態の動作
以上の構成において、この光ディスク装置１では（図２）、電源が立ち上げられた状態でユーザーにより光ディスクが装填されると、また光ディスクが装填された状態で電源が立ち上げられると、マイコン４によるＤＶＤ信号処理部１４、モーターアンプ部１８を介したスレッドモータ２１の駆動により、光学ヘッド１９が光ディスク２の内周側に移動する。さらに光学ヘッド１９により光ディスク２にレーザービームを照射し、戻り光の光学ヘッド１９による受光結果がアナログフロントエンド部１６、マイコン４で順次処理され、このマイコン４の処理によるＤＶＤ信号処理部１４、モーターアンプ部１８を介した光学ヘッド１９の制御により、トラッキング制御、フォーカス制御の処理が実行される。また受光結果のＤＶＤ信号処理部１４による処理により、光ディスク２に記録されたデータが再生される。光ディスク装置１では、この一連の処理により、光ディスク２の内周側に記録された各種情報がマイコン４で取得され、マイコン４に内蔵のメモリに保持される。
【０１１７】
この光ディスク２がスタンパにより作成された再生専用の光ディスクの場合、さらには光ディスク２が動画ファイルのみを記録したファイナライズ処理されてなる光ディスクの場合、この一連の処理により、マイコン４には、光ディスク２の内周側に記録されたコンピュータ用の管理情報であるＵＤＦのデータが取得される。これにより光ディスク装置１では、ユーザーにより光ディスク２の再生が指示されると、このＵＤＦのデータに従って、ＤＶＤ信号処理部１４、モーターアンプ部１８を介したスレッドモータ２１の駆動により、ユーザーの所望するタイトルの記録位置まで光学ヘッド１９がシークし、さらには光学ヘッド１９の受光結果によりトラッキング制御、フォーカス制御した状態で、光学ヘッド１９の受光結果がＤＶＤ信号処理部１４、ヘッダー情報処理部７、圧縮／伸長処理部６で順次処理されて動画によるビデオデータが再生される。すなわち受光結果である光ディスク２のピット列に応じて信号レベルが変化する再生信号がアナログフロントエンド部１６で処理されて再生データが生成され、この再生データがＤＶＤ信号処理部１４で復号、デインターリーブ、誤り訂正処理される。またこの誤り訂正処理された再生データがヘッダー情報処理部７に入力され、ここでヘッダーが除去され、このヘッダーの情報がマイコン４に通知される。また続いて圧縮／伸長処理部６に入力され、多重化処理部１０でビデオデータ及びオーディオデータに分離され、ビデオデータについては、ビデオ処理部８によりＭＰＥＧによるデータ圧縮が解かれ、モニタ部１２により表示され、又はビデオ／エンコーダ１３より外部機器に出力される。これに対してオーディオデータは、オーディオ処理部１１でデータ伸長された後、モニタ部１２によりモニタに供され、又はビデオ／エンコーダ１３より外部機器に出力される。
【０１１８】
これに対して光ディスク２が書き換え可能なバージンディスクの場合、光ディスク２の装填時、電源の立ち上げ時における光ディスク２のアクセスにより、光ディスク２のＲＭＡのデータがマイコン４で取得される。光ディスク装置１では、ユーザーにより動画の撮影モードが選択されると、マイコン４において、メモリに保持したＲＭＡの更新により、さらにはパディング等により、ＵＤＦ、ＶＭＧを形成する領域、ＶＴＳのＶＴＳＩ等を記録する領域が確保される。
【０１１９】
この状態でユーザーにより録画の開始が指示されると、映像入力部３、オーディオ入力部５から順次ビデオデータ、オーディオデータが入力され、ビデオデータについてはＭＰＥＧによるビデオ処理部８でデータ圧縮の処理が実行され、オーディオデータについてはオーディオ処理部１１でデータ圧縮の処理が実行される。さらにこれらデータ圧縮されたビデオデータ及びオーディオデータが、多重化処理部１０により多重化処理され、その処理結果のデータにヘッダー情報処理部７によりヘッダーが付加される。さらに続くＤＶＤ信号処理部１４において、誤り訂正符号が付加された後、インターリーブ処理、符号化処理され、この処理結果のデータに従って光学ヘッド１９から光ディスク２に照射するレーザービームの光量がアナログフロントエンド部１６により立ち上げられ、これにより光ディスク２に順次ピット列が形成されて動画によるビデオデータが順次記録される。
【０１２０】
光ディスク装置１では、ユーザーにより記録が停止指示されると、圧縮／伸長処理部６等における一連の処理がマイコン４により停止制御されてビデオデータの記録が中止され、続いてこのようにして記録した動画によるファイルの管理情報が光ディスクに記録される。すなわち光ディスク装置１では、このようにして動画を記録してなる位置情報、ファイルサイズの情報、記録日時等の情報よりマイコン４により管理情報が生成され、ビデオデータに続いて記録するように、この管理情報がＤＶＤ信号処理部１４に出力されて光ディスク２に記録され、これによりＶＴＳＩ　ＢＵＰの領域が形成され、続いて先に確保したＶＴＳＩ、ＶＴＳＭ　ＶＯＢＳの領域に光学ヘッド１９がシークし、この領域において、同様の管理情報がＤＶＤ信号処理部１４に出力されて光ディスク２に記録され、これによりＶＴＳＩ、ＶＴＳＭ　ＶＯＢＳの領域が形成される。
【０１２１】
光ディスク装置１では、これにより動画によるビデオデータが１タイトル記録される。これらにより光ディスク装置１では、動画によるファイルを記録する場合、ＶＴＳＩによる管理情報、ＶＴＳＭ　ＶＯＢＳによる管理情報、ファイル、ＶＴＳＩ　ＢＵＰによる管理情報が連続するフォーマットであるＤＶＤビデオフォーマットにより管理情報、ファイルが記録される。光ディスク装置１では、続いてユーザーにより動画の記録が指示された場合、同様の処理の繰り返しにより順次光ディスク２にタイトルが記録される。
【０１２２】
またこのようにして動画を１タイトル記録すると、光ディスク２がＤＶＤ−ＲＷの場合、光ディスク２の内周側、固定された領域に、タイトルの先頭記録位置、末尾の記録位置等を示す仮ＶＭＧが記録される。また光ディスク２がＤＶＤ−Ｒの場合、タイトルに続いて、仮ＶＭＧが記録され、この仮ＶＭＧに続く領域を指し示すようにＮＷＡが設定される。また続いて動画ファイルの記録が指示されると、同様にして１つのタイトルが記録され、それまで光ディスク２に記録されたタイトルと、新しく記録したタイトルとを指し示すように、仮ＶＭＧが生成され、光ディスク２がＤＶＤ−Ｒの場合、この新たに生成した仮ＶＭＧが新たに記録したタイトルに続いて追記され、ＮＷＡが更新される。また光ディスク２がＤＶＤ−ＲＷの場合、それまでも仮ＶＭＧが上書きにより更新される。
【０１２３】
このようにしてタイトルを順次記録してなる、未だファイナライズしていない光ディスクが装填された場合等にあっては、当初、この仮ＶＭＧが取得され、この仮ＶＭＧを基準にした光ディスク２のスキャンにより、このようにタイトルと組にして記録された管理情報が順次取得されてマイコン４のメモリに保持される。さらにこのように取得した管理情報を基準にしてユーザーの再生の指示に係る動画ファイルが再生される。
【０１２４】
また光ディスク装置１では、このようにしてタイトルを記録して、ユーザーによりファイナライズの処理が指示されると、仮ＶＭＧの記録に基づいてメモリに記録してなるタイトルと組を形成する管理情報によりＵＤＦ、ＶＭＧのデータが生成され、これらが光ディスク２に確保された内周側領域に記録され、またリードイン、リードアウトが形成される。これによりこの光ディスクにあっては、通常のＤＶＤフォーマットのみに対応するＤＶＤプレイヤーで再生可能に設定される。
【０１２５】
これに対してユーザーにより静止画の記録モードが選択された場合、バージンディスクにおいては、動画の場合と同様にして、パディング等によりＵＤＦ、ＶＭＧの領域が確保される。また光ディスク装置においては、撮像手段の動作モードが静止画のモードに切り換えられ、圧縮／伸長処理部６における動作モードがＪＰＥＧによるデータ圧縮の動作モードに切り換えられる。
【０１２６】
この状態でユーザーにより静止画の録画開始が指示されると、映像入力部３より入力される静止画によるビデオデータが圧縮／伸長処理部６のビデオ処理部８でＪＰＥＧのフォーマットによりデータ圧縮される。これにより光ディスク装置１では、動画によるビデオデータに代えて、静止画によるビデオデータにより記録に供するデータが生成され、このデータが動画による場合と同様にして順次光ディスク２に記録される。
【０１２７】
光ディスク装置１においては、動画の記録においては、始めにＶＴＳＩ、ＶＴＳＭ　ＶＯＢＳの領域を確保して実データを記録するのに対し、この静止画の記録においては、パディング等により確保した領域の先頭に戻って、このような管理情報用の領域を確保することなく静止画による実データを記録する。またユーザーにより続く静止画の記録が指示されると、同様にして、続く静止画が光ディスク２に記録される。またこれらの記録毎に、各ファイルの記録位置等がメモリに記録される。
【０１２８】
光ディスク装置１では、このようにして所望するファイル数だけ静止画によるファイルを光ディスクに記録してユーザーによる動作モードの切り換え等により静止画の記録停止が指示されると、メモリに保持した記録位置等による拡張管理情報ＤＫがこれら複数ファイル分、続く領域に、記録される。これにより光ディスク装置１では、動画以外のファイルを記録する場合には、ファイル、対応する管理情報の順となるように、ファイル及び管理情報が記録され、記録するファイルの属性によりファイル及び管理情報の記録フォーマットが切り換えられる。
【０１２９】
また光ディスク装置１では、このようにして拡張管理情報ＤＫを記録すると、それまでに光ディスク２に記録されているタイトルに加えて、この拡張管理情報ＤＫをも指し示すように仮ＶＭＧを生成し、光ディスク２に動画ファイルを１タイトル分記録した場合と同様に、ＤＶＤ−Ｒの場合には、拡張管理情報ＤＫに続いて仮ＶＭＧが追記により記録され、またＤＶＤ−ＲＷの場合には、光ディスク２に記録された仮ＶＭＧが更新される。
【０１３０】
これにより光ディスク装置１では、ＤＶＤビデオフォーマットで定義されていない静止画等のファイルについても光ディスク２に記録することができる。またこのようにして記録した光ディスク２を通常のＤＶＤビデオフォーマットのみをサポートする光ディスク装置に装填した場合、装填時等の仮ＶＭＧを基準にしたサーチによりＶＴＳＩ等の動画ファイルの管理情報が検出され、この管理情報によりＶＴＳが再生されることにより、このようにして記録した静止画等のファイル、対応する管理情報については、何ら動画の再生に影響を与えないようにすることができる。これによりこのようにして記録した光ディスクにおいては、通常のＤＶＤプレイヤーにより動画のファイルを再生することが可能となる。
【０１３１】
また動画ファイル以外のファイルをもサポートする光ディスク装置によれば、静止画ファイルについても再生することが可能となる。すなわちこのような光ディスク２が装填された場合、光ディスク装置１では、仮ＶＭＧを基準にした光ディスク２のサーチにより、ＶＴＳ、ＶＴＳＭ　ＶＯＢＳのデータだけでなく、静止画ファイルの拡張管理情報ＤＫについても光ディスク２より再生され、マイコン４のメモリに保持される。
【０１３２】
これにより例えばユーザーの指示により光ディスク２に記録された動画及び静止画のタイトル等をユーザーに提供することができる。またユーザーによる再生の指示により、ユーザーが動画の再生を指示した場合、ＶＴＳ、ＶＴＳＭ　ＶＯＢＳのデータにより再生専用の光ディスクについて上述したと同様にして対応する動画ファイルが再生される。
【０１３３】
これに対してユーザーにより静止画ファイルの再生が指示された場合、メモリに保持した拡張管理情報ＤＫより対応するファイルの記録位置等が検出され、この検出結果により順次光ディスク２に記録されたデータが再生されて、動画による再生データと同様の経路により処理される。光ディスク装置１では、この再生データの処理において、静止画による再生データを処理する場合には、ＪＰＥＧによりデータ圧縮したビデオデータをデータ伸長するように、ビデオ処理部８の処理がマイコン４により切り換えられ、これにより静止画によるビデオデータをモニタ部１２により確認し、さらにはビデオ／オーディオエンコーダ１３より外部機器に出力することが可能となる。
【０１３４】
光ディスク装置１では、連続して記録した拡張ファイルについて、各拡張ファイルの先頭位置、ファイル名を示す拡張ファイル情報ＥＸが拡張ファイルの種類毎にまとめられて記録された後、これらまとめらた各拡張ファイル情報ＥＸによるグループの先頭アドレスを指し示すように、各拡張ファイルの種類毎に属性管理情報ＣＩが記録され、各属性管理情報ＣＩをそれぞれ指し示すように、拡張ファイルの案内情報Ｔ．Ｅが記録され、これらにより拡張管理情報ＤＫが記録され、またこの案内情報Ｔ．Ｅの記録位置が仮ＶＭＧにより指し示される。
【０１３５】
これにより光ディスク装置１では、それぞれ連続して記録した拡張ファイルについて、拡張ファイル情報ＥＸのみそれぞれ対応する拡張ファイルと共に記録し、この拡張ファイル情報ＥＸを管理する属性管理情報ＣＩ、案内情報Ｔ．Ｅについては、光ディスク２に記録した全ての拡張ファイルをまとめて管理するようになされている。これにより光ディスク装置１では、拡張ファイルの管理情報の記録による記録領域の減少を低減するようになされている。
【０１３６】
また拡張ファイルの個別の管理情報である拡張ファイル情報ＥＸを属性管理情報ＣＩによりまとめて管理し、この属性管理情報ＣＩにより拡張ファイルの種類、記録フォーマットを定義したことにより、ＪＰＥＧによる静止画ファイル以外の、例えばＧＩＦ、ビットマップ等によるファイルをこの光ディスク２に記録しようとする場合、個別の拡張ファイル情報ＥＸについては、静止画の場合と同一に設定して、属性管理情報ＣＩを新たに設定することにより、この種のファイルを記録することができる。またこのようにして記録したファイルについても、ファイナライズによりＵＤＦを作成してコンピュータによりアクセス可能とすることができる。これによりこの実施の形態においては、十分な拡張性を担保して、動画以外のファイルについても、記録することが可能となる。
【０１３７】
しかしながらこのようにして種々のファイルを記録した場合には、再生装置側の負担が格段的に増大することになる。すなわち予測される拡張ファイルの全てに対して、デコーダを用意しなければ、せっかく光ディスク２に記録された拡張ファイルをユーザーに提供できなくなる。このため光ディスク装置１においては、この属性管理情報ＣＩを新たに記録する場合には、拡張ファイルに続いて、拡張ファイルをＭＰＥＧ２フォーマットによる環境で再生可能にフォーマット変換する変換プログラムＥＸ．Ｃが記録され、また拡張ファイルをデコードするドライバソフトＥＸ．Ｄが記録される。
【０１３８】
これにより光ディスク装置１では、属性管理情報ＣＩとの対応により、少なくとも新たな種類の拡張ファイルを記録する場合には、併せてこの拡張ファイルをデコードするドライバソフトＥＸ．Ｄを光ディスク２に記録するようになされ、これにより再生側にこの種のドライバソフトが用意されていない場合でも、このドライバソフトＥＸ．Ｄを再生してインストールすることにより、拡張ファイルをデコードしてユーザーに提供することができるようになされている。これにより種々の再生装置で十分に対応可能に、動画以外の静止画ファイルについても、光ディスク２に記録することができる。
【０１３９】
かくするにつき光ディスク装置１では、このように拡張ファイルを記録して未だファイナライズされていない光ディスク２が装填された場合には、仮ＶＭＧの記録より動画ファイルの管理情報、これら拡張ファイルの拡張管理情報が再生されてメモリに保持され、バージンディスクに動画ファイル、拡張ファイルを順次記録する場合と同様に、動画ファイル、拡張ファイルが記録される。
【０１４０】
これに対してユーザーによりファイナライズの処理が指示されると、拡張ファイルについては、順次再生され、光ディスク２に記録された対応する変換プログラムＥＸ．ＣによりＭＰＥＧ２の環境によりデコード可能に拡張ファイルを変換して光ディスク２に記録され、これにより拡張ファイルをフォーマット変換してなるタイトルが光ディスク２に記録される。またそれまでに記録されたタイトル、このようなフォーマット変換してなるタイトルを指し示すように、ＶＭＧが生成される。また拡張ファイル、動画ファイルによるタイトルを指し示すように、ＵＤＦが生成され、リードイン、リードアウトが生成される。
【０１４１】
これにより光ディスク装置１によりファイナライズ処理されてなる光ディスク２をＤＶＤプレイヤーで再生する場合には、各拡張ファイルについては、フォーマット変換されたタイトルを再生して、このタイトルの各ピクチャーによりユーザーに提供され、これにより従来機器との間の互換性を確保することができる。
【０１４２】
これに対してこの光ディスク装置１においては、ＶＭＧに代えてＵＤＦを基準にして光ディスク２に記録されたファイルを再生することにより、各拡張ファイルについては、直接デコードされてユーザーに提供され、これによりフォーマット変換に伴う画質劣化等が有効に回避される。
【０１４３】
またこのようにしてファイナライズ処理されてなる光ディスクより拡張ファイルを再生する場合、さらにはファイナライズ処理されていない光ディスクより拡張ファイルを再生する場合にあって、対応するドライバソフトを光ディスク装置１が有していない場合、光ディスク装置１においては、光ディスク２よりドライバソフトＥＸ．Ｄを再生してインストールし、このドライバソフトＥＸ．Ｄにより拡張ファイルをデコードしてユーザーに提供する。これにより光ディスク装置１では、予定外の各種ファイルが拡張ファイルに割り当てられている場合でも十分に対応することができる。
【０１４４】
（１−３）第１の実施の形態の効果
以上の構成によれば、拡張ファイルをデコードするドライバソフトを拡張ファイルと共に記録することにより、種々の再生装置で十分に対応可能に、動画以外の静止画等のファイルについても記録することができる。
【０１４５】
また属性管理情報により拡張ファイルの種類、記録フォーマットを定義し、この属性管理情報との対応によりドライバソフトを記録することにより、属性管理情報の設定により高い拡張性を担保して種々の拡張ファイルを記録することができるようにし、またこのようにして記録した拡張ファイルに対して再生側を十分に対応可能とすることができる。
【０１４６】
また光ディスクに記録された拡張ファイルの種類毎に属性管理情報を設定し、この属性管理情報により、対応するドライバソフトの記録位置を指し示すことにより、拡張ファイルと対応するドライバソフトとの関係を的確に管理することができる。
【０１４７】
またこのドライバソフトを記録する際に、拡張ファイルを動画ファイルの再生環境で再生可能なファイルに変換する変換プログラムを併せて記録することにより、この変換プログラムを用いて拡張ファイルを処理して、通常のＤＶＤプレイヤーでも拡張ファイルの内容を確認することができる。
【０１４８】
また光ディスクに記録されたドライバソフトを再生して組み込み、該組み込んだドライバソフトにより拡張ファイルのデコードして出力するデータ処理手段を有することにより、予想外の各種拡張ファイルが光ディスクに記録されている場合でも、十分に対応することができる。
【０１４９】
またユーザーによる指示により、光ディスクの管理情報記録領域のうちの、ＵＤＦである第１の管理情報記録領域に、光ディスクに記録された全てのファイルについて、管理情報及び拡張管理情報をまとめて記録し、ＶＭＧである第２の管理情報記録領域に、光ディスクに記録された特定フォーマットの動画ファイルについてのみ、管理情報をまとめて記録することにより、ファイナライズ処理して動画ファイル、拡張ファイルを再生可能とすることができる。
【０１５０】
（２）第２の実施の形態
この実施の形態に係る光ディスク装置においては、変換プログラムの記録を省略する。またこの変換プログラムの記録の省略に対応して、ファイナライズの処理においては、光ディスク２に記録されたドライバソフトにより拡張ファイルをデコードした後、圧縮／伸長処理部６によりデコードして光ディスク２に記録し、これにより拡張ファイルをＤＶＤプレイヤーにより再生可能にフォーマット変換する。この実施の形態に係る光ディスク装置においては、このような変換プログラムに係る処理が異なる点を除いて、第１の実施の形態について上述した光ディスク装置１と同一に構成されることにより、この実施の形態では、重複した説明は省略する。
【０１５１】
この実施の形態のように、光ディスク装置の構成と、光ディスクに記録されたドライバソフトとにより変換プログラムの機能を実現しても、第１の実施の形態と同様の効果を得ることができる。
【０１５２】
（３）第３の実施の形態
この実施の形態に係る光ディスク装置においては、各拡張管理情報において、それまでに光ディスクに記録されている拡張ファイル情報をまとめて記録し直す。なおこの実施の形態に係る光ディスク装置においては、このような拡張ファイル情報処理が異なる点を除いて、第１の実施の形態について上述した光ディスク装置１と同一に構成されることにより、この実施の形態では、重複した説明は省略する。
【０１５３】
このように拡張ファイル情報をその都度まとめるようにすれば、その分、情報記録面の消費が増大するものの、最新の拡張管理情報の再生により光ディスク２に記録された全ての拡張ファイルについて再生可能とすることができ、その分、再生に要する時間を短くすることができる。
【０１５４】
（４）第４の実施の形態
この実施の形態においては、本発明をパーソナルコンピュータの外部記憶装置である光ディスク装置に適用し、上述した拡張ファイルに、静止画ファイル以外の、例えばＶＴＳとは異なるフォーマットによる動画ファイル（例えばＭＰＥＧ４、ＭＰＥＧ７によるフォーマット）、テキストファイル、ＨＴＴＰファイル、地図データファイル、ＡＴＲＡＣ（Ａｄａｐｔｉｖｅ　Ｔｒａｎｓｆｏｒｍ　Ａｃｏｕｓｔｉｃ　Ｃｏｄｉｎｇ）によるオーディオファイル、ＷＡＶファイル等の各種ファイルを適用して、上述の第１又は第２の実施の形態と同様に光ディスク２に記録し、また光ディスク２をファイナライズ処理する。
【０１５５】
またこのようなファイルのうち、画像又は音声により内容を確認できるファイルについては、ドライバソフトが記録される。なおドライバソフトにおいては、動画ファイルについては対応するデコーダにより構成され、テキストファイル、ＨＴＴＰファイル、地図データファイル等については、動画ファイルを表示する表示手段でこれらファイルの内容を表示可能とするブラウザ等が適用される。またオーディオファイルについては、これらオーディオファイルのデータをデコードするデコーダにより構成される。なおテキストファイルについては、ドライバソフトとして音声合成プログラムを適用することも考えられる。
【０１５６】
またこのドライバソフトに対応して変換プログラムを光ディスクに記録する。
【０１５７】
この実施の形態のように、拡張ファイルに静止画以外のファイルを適用するようにしても、要は画像及び音声によりユーザーに通知可能なファイルであれば、ドライバソフトを記録して第１及び第２の実施の形態と同様の効果を得ることができる。
【０１５８】
（５）他の実施の形態
なお上述の実施の形態においては、属性管理情報との対応による新規な種類に係る拡張ファイルを記録した場合に、ドライバソフト、変換プログラムを記録する場合について述べたが、本発明はこれに限らず、既に光ディスクにドライバソフト、変換プログラムが記録されている場合でも、例えばバージョンが古い場合、機能が劣る場合等には、改めてドライバソフト、変換プログラムを記録するようにしてもよい。
【０１５９】
また上述の実施の形態においては、拡張ファイルを処理できない場合に光ディスクによりドライバソフト、変換プログラムを再生してインストールする場合について述べたが、本発明はこれに限らず、光ディスク２に記録されているドライバソフト、変換プログラムの方が光ディスク装置に備えられたバージョンに比して新しい場合、機能が優れる場合等も考えられることにより、このような場合には、拡張ファイルを処理できる場合でも、光ディスクによりドライバソフト、変換プログラムを再生してインストールするようにしてもよい。
【０１６０】
また上述の実施の形態においては、ファイナライズした光ディスクについては、ＵＤＦを基準にして再生することにより、フォーマット変換してなる動画ファイルの形式により拡張ファイルが存在する場合でも、拡張ファイルにより内容を確認できるようにする場合について述べたが、本発明はこれに限らず、ファイナライズした光ディスクについては、ＶＭＧを基準にして再生することにより、フォーマット変換してなる動画ファイルの形式により拡張ファイルの内容を確認できるようにしてもよい。
【０１６１】
また上述の実施の形態においては、ファイナライズにより拡張ファイルをフォーマット変換する場合について述べたが、本発明はこれに限らず、必要に応じてフォーマット変換の処理を省略するようにしてもよい。
【０１６２】
また上述の実施の形態においては、拡張管理情報をファイナライズまでの一時的な管理情報として使用する場合について述べたが、本発明はこれに限らず、ファイナライズ以降においても利用するようにしてもよい。
【０１６３】
また上述の実施の形態においては、光ディスク装置に事前にインストールされた処理プログラムにより一連の処理を実行する場合について述べたが、本発明はこれに限らず、インターネット等のネットワークを介してダウンロードしたプログラムのインストールによりこの種の処理手順を実行する場合、さらには各種の記録媒体により提供されるプログラムのインストールによりこの種の処理手順を実行する場合等にも広く適用することができる。なおこのような記録媒体としては、磁気ディスク、光ディスク、磁気テープ等の記録媒体を適用することができる。
【０１６４】
また上述の実施の形態においては、撮像機能を有する光ディスク装置、コンピュータの外部記憶装置である光ディスク装置に本発明を適用する場合について述べたが、本発明はこれに限らず、コンピュータのアプリケーションプログラムによりこの種の処理を実行する場合等にも広く適用することができる。
【０１６５】
【発明の効果】
以上のように本発明によれば、拡張ファイルをデコードするドライバソフトを拡張ファイルと共に記録することにより、種々の再生装置で十分に対応可能に、動画以外の静止画等のファイルについても記録することができる。
【図面の簡単な説明】
【図１】本発明の第１の実施の形態に係る光ディスク装置におけるＩＮＣ方式による記録手順の説明に供する図表である。
【図２】本発明の第１の実施の形態に係る光ディスク装置を示すブロック図である。
【図３】図２の光ディスク装置における管理情報の説明に供する図表である。
【図４】図３の続きを示す図表である。
【図５】図２の光ディスク装置におけるＲＯＷ方式による記録手順の説明に供する図表である。
【図６】図２の光ディスク装置におけるマイコンの処理手順を示すフローチャートである。
【図７】図６の処理手順における記録処理手順を示すフローチャートである。
【図８】図７の続きを示すフローチャートである。
【図９】図６の処理手順における再生処理手順を示すフローチャートである。
【図１０】図９の続きを示すフローチャートである。
【図１１】ＤＶＤビデオフォーマットの説明に供する図表である。
【図１２】ＩＮＣ方式による記録の説明に供する図表である。
【図１３】ＲＯＷ方式による記録の説明に供する図表である。
【符号の説明】
１……光ディスク装置、２……光ディスク、４……マイコン、６……圧縮／伸長処理部
【図１】
2004039185.tif 000003
【図２】
2004039185.tif 000004
【図３】
2004039185.tif 000005
【図４】
2004039185.tif 000006
【図５】
2004039185.tif 000007
【図６】
2004039185.tif 000008
【図７】
2004039185.tif 000009
【図８】
2004039185.tif 000010
【図９】
2004039185.tif 000011
【図１０】
2004039185.tif 000012
【図１１】
2004039185.tif 000013
【図１２】
2004039185.tif 000014
【図１３】
2004039185.tif 000015